(57)【要約】【課題】  高いズーム倍率と全ズーム領域に亘る十分な明るさを確保すると共に撮影画角の十分な広角化を図る。【解決手段】  物体側から像側へ順に正負正正のレンズ群構成にされ、広角端から望遠端へのズーミングの際に、第１レンズ群が撮像面に対して固定され、第２レンズ群が第３レンズ群との間隔を縮めるように光軸方向において像側へ移動され、第３レンズ群は、正レンズと、負レンズと、物体側に位置された正レンズと像側に位置された負レンズとから成る正の屈折力を有する接合レンズとが、物体側から像側へ順に配置されて構成され、以下の条件式（１）を満足する。（１）−０．９５＜ｆｇ３＿ｎｅｇ／ｆｇ３＜−０．５但し、ｆｇ３＿ｎｅｇ：第３レンズ群の物体側から２枚目の負レンズの焦点距離、ｆｇ３：第３レンズ群の焦点距離とする。【選択図】図１
2015090424.tif 000002
【特許請求の範囲】
【請求項１】
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（１）を満足する
ズームレンズ。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【請求項２】
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（２）及び条件式（３）を満足する
ズームレンズ。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【請求項３】
広角端から望遠端へのズーミングの際に、前記第３レンズ群が前記第２レンズ群との間隔を縮めるように光軸方向において移動される
請求項１に記載のズームレンズ。
【請求項４】
広角端から望遠端へのズーミングの際に、前記第３レンズ群が光軸方向において物体側へ一方向にのみ移動される
請求項１に記載のズームレンズ。
【請求項５】
以下の条件式（４）を満足する
請求項１に記載のズームレンズ。
（４）７．０＜ｆｇ３／ｆｗ＜１１．０
但し、
ｆｗ：広角端及び無限遠合焦時における光学系の全系焦点距離
とする。
【請求項６】
以下の条件式（５）を満足する
請求項１に記載のズームレンズ。
（５）０．１０＜｛βｇ３（ｔ）／βｇ３（ｗ）｝／｛ｆｔ／ｆｗ｝＜０．２２
但し、
βｇ３（ｗ）：広角端及び無限遠合焦時における第３レンズ群の横倍率
βｇ３（ｔ）：望遠端及び無限遠合焦時における第３レンズ群の横倍率
ｆｗ：広角端及び無限遠合焦時における光学系の全系焦点距離
ｆｔ：望遠端及び無限遠合焦時における光学系の全系焦点距離
とする。
【請求項７】
以下の条件式（６）を満足する
請求項１に記載のズームレンズ。
（６）０．６５＜ｆｓｌ３／ｆｇ３＜１．０５
但し、
ｆｓｌ３：第３レンズ群の接合レンズの焦点距離
とする。
【請求項８】
以下の条件式（７）を満足する
請求項１に記載のズームレンズ。
（７）−０．９０＜Ｒｓｌ３／ｆｇ３＜−０．５０
但し、
Ｒｓｌ３：第３レンズ群の接合レンズにおける接合面の曲率半径
とする。
【請求項９】
前記第２レンズ群は、負レンズと、負レンズと、物体側に位置された正レンズと像側に位置された負レンズとから成る正の屈折力を有する接合レンズとが、物体側から像側へ順に配置されて構成された
請求項１に記載のズームレンズ。
【請求項１０】
以下の条件式（８）を満足する
請求項１に記載のズームレンズ。
（８）−３．５＜ｆｇ２／ｆｗ＜−２．０
但し、
ｆｇ２：第２レンズ群の焦点距離
ｆｗ：広角端及び無限遠合焦時における光学系の全系焦点距離
とする。
【請求項１１】
以下の条件式（９）を満足する
請求項１に記載のズームレンズ。
（９）−４．５＜ｆｓｌ２／ｆｇ２＜−２．７
但し、
ｆｓｌ２：第２レンズ群の接合レンズの焦点距離
ｆｇ２：第２レンズ群の焦点距離
とする。
【請求項１２】
以下の条件式（１０）を満足する
請求項１に記載のズームレンズ。
（１０）１．５＜Ｒｓｌ２／ｆｇ２＜２．７
但し、
Ｒｓｌ２：第２レンズ群の接合レンズにおける接合面の曲率半径
ｆｇ２：第２レンズ群の焦点距離
とする。
【請求項１３】
前記第１レンズ群は、物体側に位置された負レンズと像側に位置された正レンズとから成る負の屈折力を有する接合レンズと、正レンズと、正レンズとが、物体側から像側へ順に配置されて構成された
請求項１に記載のズームレンズ。
【請求項１４】
以下の条件式（１１）を満足する
請求項１に記載のズームレンズ。
（１１）１５＜ｆｇ１／ｆｗ＜２３
但し、
ｆｇ１：第１レンズ群の焦点距離
ｆｗ：広角端及び無限遠合焦時における光学系の全系焦点距離
とする。
【請求項１５】
以下の条件式（１２）を満足する
請求項１に記載のズームレンズ。
（１２）−１０．５＜ｆｓｌ１／ｆｇ１＜−５．０
但し、
ｆｓｌ１：第１レンズ群の接合レンズの焦点距離
ｆｇ１：第１レンズ群の焦点距離
とする。
【請求項１６】
広角端から望遠端へのズーミングの際に前記第４レンズ群が光軸方向において移動され、
フォーカシングの際に前記第４レンズ群が光軸方向において移動されることにより合焦される
請求項１に記載のズームレンズ。
【請求項１７】
前記第３レンズ群は接合レンズが光軸方向に直交する方向へシフトされることにより像ぶれを補正する機能を有する
請求項１に記載のズームレンズ。
【請求項１８】
前記第２レンズ群と前記第３レンズ群の間にＦナンバーを決定する開口絞りが配置され、
ズーミングの際に前記開口絞りが撮像面に対して固定されている
請求項１に記載のズームレンズ。
【請求項１９】
ズームレンズと前記ズームレンズによって形成された光学像を電気的信号に変換する撮像素子とを備え、
前記ズームレンズは、
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（１）を満足する
撮像装置。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【請求項２０】
ズームレンズと前記ズームレンズによって形成された光学像を電気的信号に変換する撮像素子とを備え、
前記ズームレンズは、
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（２）及び条件式（３）を満足する
撮像装置。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【請求項２１】
前記ズームレンズと前記撮像素子の間に光学像を色分解するプリズムブロックが配置された
請求項１９に記載の撮像装置。
【発明の詳細な説明】
【技術分野】
【０００１】
本技術は高いズーム倍率と全ズーム領域に亘る十分な明るさを有すると共に撮影画角の十分な広角化が可能なズームレンズ及びこのようなズームレンズが用いられる撮像装置の技術分野に関する。
【先行技術文献】
【特許文献】
【０００２】
【特許文献１】特開２００５−６２２２８号公報
【特許文献２】特開２００７−１７１２４８号公報
【背景技術】
【０００３】
近年、デジタルカメラ等の撮像装置の市場は非常に成熟したものになっており、ユーザーのデジタルカメラ等に対する要望も多岐に亘り、高画質化や小型化に加えて撮影レンズの高倍率化や明るさや撮影画角の広角化への要望も非常に大きくなってきている。
【０００４】
このような撮像装置に用いられるズームレンズとしては、最も物体側のレンズ群が正の屈折力を有するポジティブリードタイプのズームレンズがある。ポジティブリードタイプのズームレンズはズーム倍率を大きくすることができると言う利点や全ズーム領域で光学系を明るく設計することができると言う利点があるため、例えば、ズーム倍率が５倍を超えるような高倍率のタイプに適したものとして多く用いられている。
【０００５】
特に、ポジティブリードタイプの代表的なズームレンズとして、物体側から像側へ順に配置された正負正正の屈折力を有する４群ズームレンズが知られている（例えば、特許文献１及び特許文献２参照）。
【発明の開示】
【発明が解決しようとする課題】
【０００６】
ところが、特許文献１及び特許文献２に記載された正負正正の４群ズームレンズにあっては、１０倍前後までの高倍率化が実現されているが、広角端における撮影画角の十分な広角化までは達成されていない。
【０００７】
また、例えば、３−ＣＭＯＳカメラのような光学系と撮像素子の間に色分解プリズムを配置したカメラにおけるズームレンズやレンズ交換式のカメラに搭載するズームレンズ等の場合には、光学系のバックフォーカスを十分に確保する必要があるが、このような光学系の場合には、特に、焦点距離が短い広角側における撮影画角の十分な広角化とバックフォーカスの両立が光学設計上困難になる。特許文献２に記載されたズームレンズにあっては、この課題の解決が試みられてはいるが、十分な撮影画角の広角化には至っていない。
【０００８】
さらに、撮像素子を用いた撮像装置においては、像側がテレセントリックに近いズームレンズの採用が像面照度を均一にすることができるため望ましい。このようなズームレンズとしては最も像側のレンズ群が正の屈折力を有するタイプが適している。
【０００９】
そこで、本技術ズームレンズ及び撮像装置は、高いズーム倍率と全ズーム領域に亘る十分な明るさを確保すると共に撮影画角の十分な広角化を図ることを目的とする。
【課題を解決するための手段】
【００１０】
第１に、本技術に係るズームレンズは、物体側から像側へ順に配置された正の屈折力を有する第１レンズ群と負の屈折力を有する第２レンズ群と正の屈折力を有する第３レンズ群と正の屈折力を有する第４レンズ群とにより構成され、広角端から望遠端へのズーミングの際に、前記第１レンズ群が撮像面に対して固定され、前記第２レンズ群が前記第３レンズ群との間隔を縮めるように光軸方向において像側へ移動され、前記第３レンズ群は、正レンズと、負レンズと、物体側に位置された正レンズと像側に位置された負レンズとから成る正の屈折力を有する接合レンズとが、物体側から像側へ順に配置されて構成され、以下の条件式（１）を満足するものである。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【００１１】
これにより、第３レンズ群における球面収差とコマ収差や色収差の補正を適切に行うことが可能になる。
【００１２】
第２に、別の本技術に係るズームレンズは、物体側から像側へ順に配置された正の屈折力を有する第１レンズ群と負の屈折力を有する第２レンズ群と正の屈折力を有する第３レンズ群と正の屈折力を有する第４レンズ群とにより構成され、広角端から望遠端へのズーミングの際に、前記第１レンズ群が撮像面に対して固定され、前記第２レンズ群が前記第３レンズ群との間隔を縮めるように光軸方向において像側へ移動され、前記第３レンズ群は、正レンズと、負レンズと、物体側に位置された正レンズと像側に位置された負レンズとから成る正の屈折力を有する接合レンズとが、物体側から像側へ順に配置されて構成され、以下の条件式（２）及び条件式（３）を満足するものである。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【００１３】
これにより、第３レンズ群における球面収差とコマ収差や色収差の補正を適切に行うことが可能になる。
【００１４】
第３に、上記したズームレンズにおいては、広角端から望遠端へのズーミングの際に、前記第３レンズ群が前記第２レンズ群との間隔を縮めるように光軸方向において移動されることが望ましい。
【００１５】
これにより、第３レンズ群がズーミングの際に撮像素子に対して固定されている光学系よりも第３レンズ群の変倍効果を全系のズーム倍率に対して効率的に寄与させることが可能になる。
【００１６】
第４に、上記したズームレンズにおいては、広角端から望遠端へのズーミングの際に、前記第３レンズ群が光軸方向において物体側へ一方向にのみ移動されることが望ましい。
【００１７】
これにより、第３レンズ群を移動させるためのアクチュエーターや鏡筒の構成部品によるガタやヒステリシスがズーミング時に抑制される。
【００１８】
第５に、上記したズームレンズにおいては、以下の条件式（４）を満足することが望ましい。
（４）７．０＜ｆｇ３／ｆｗ＜１１．０
但し、
ｆｗ：広角端及び無限遠合焦時における光学系の全系焦点距離
とする。
【００１９】
これにより、第３レンズ群のズーミングへの変倍寄与度が大きくなると共に第３レンズ群における諸収差の発生量が抑制される。
【００２０】
第６に、上記したズームレンズにおいては、以下の条件式（５）を満足することが望ましい。
（５）０．１０＜｛βｇ３（ｔ）／βｇ３（ｗ）｝／｛ｆｔ／ｆｗ｝＜０．２２
但し、
βｇ３（ｗ）：広角端及び無限遠合焦時における第３レンズ群の横倍率
βｇ３（ｔ）：望遠端及び無限遠合焦時における第３レンズ群の横倍率
ｆｗ：広角端及び無限遠合焦時における光学系の全系焦点距離
ｆｔ：望遠端及び無限遠合焦時における光学系の全系焦点距離
とする。
【００２１】
これにより、第３レンズ群の変倍寄与度が適正化され、第３レンズ群における諸収差の発生量が抑制される。
【００２２】
第７に、上記したズームレンズにおいては、以下の条件式（６）を満足することが望ましい。
（６）０．６５＜ｆｓｌ３／ｆｇ３＜１．０５
但し、
ｆｓｌ３：第３レンズ群の接合レンズの焦点距離
とする。
【００２３】
これにより、第３レンズ群の接合レンズの屈折力が適正化され、第３レンズ群のズーミングへの寄与度が高くなると共に第３レンズ群における諸収差の発生量が抑制される。
【００２４】
第８に、上記したズームレンズにおいては、以下の条件式（７）を満足することが望ましい。
（７）−０．９０＜Ｒｓｌ３／ｆｇ３＜−０．５０
但し、
Ｒｓｌ３：第３レンズ群の接合レンズにおける接合面の曲率半径
とする。
【００２５】
これにより、第３レンズ群の接合レンズにおける接合面の曲率が適正化され、接合レンズにおける倍率色収差の補正効果が高まると共に接合面で発生する色コマ収差が抑制される。
【００２６】
第９に、上記したズームレンズにおいては、前記第２レンズ群は、負レンズと、負レンズと、物体側に位置された正レンズと像側に位置された負レンズとから成る正の屈折力を有する接合レンズとが、物体側から像側へ順に配置されて構成されることが望ましい。
【００２７】
これにより、負の屈折力を有する第２レンズ群における前側主点の位置を可能な限り物体側に配置させることが可能になると共に広角側における色コマ収差と望遠側における軸上色収差の補正が適切に行われる。
【００２８】
第１０に、上記したズームレンズにおいては、以下の条件式（８）を満足することが望ましい。
（８）−３．５＜ｆｇ２／ｆｗ＜−２．０
但し、
ｆｇ２：第２レンズ群の焦点距離
ｆｗ：広角端及び無限遠合焦時における光学系の全系焦点距離
とする。
【００２９】
これにより、第２レンズ群の屈折力が適正化され、ズーミングの際に必要な移動ストロークが短縮化されると共に第２レンズ群における像面湾曲の発生が抑制される。
【００３０】
第１１に、上記したズームレンズにおいては、以下の条件式（９）を満足することが望ましい。
（９）−４．５＜ｆｓｌ２／ｆｇ２＜−２．７
但し、
ｆｓｌ２：第２レンズ群の接合レンズの焦点距離
ｆｇ２：第２レンズ群の焦点距離
とする。
【００３１】
これにより、第２レンズ群の接合レンズの屈折力が適正化され、接合レンズにおける収差補正が適切に行われ接合レンズによって補正している広角端のコマ収差と倍率色収差の発生量が抑制される。
【００３２】
第１２に、上記したズームレンズにおいては、以下の条件式（１０）を満足することが望ましい。
（１０）１．５＜Ｒｓｌ２／ｆｇ２＜２．７
但し、
Ｒｓｌ２：第２レンズ群の接合レンズにおける接合面の曲率半径
ｆｇ２：第２レンズ群の焦点距離
とする。
【００３３】
これにより、接合レンズにおける接合面の曲率が適正化され、接合レンズにおける広角側の倍率色収差の補正効果が高くなると共に接合面で発生する広角側の色コマ収差が抑制される。
【００３４】
第１３に、上記したズームレンズにおいては、前記第１レンズ群は、物体側に位置された負レンズと像側に位置された正レンズとから成る負の屈折力を有する接合レンズと、正レンズと、正レンズとが、物体側から像側へ順に配置されて構成されることが望ましい。
【００３５】
これにより、広角化を図った光学系においても周辺像高で発生する非点収差が適切に補正されると共に高倍率化を図った光学系においても望遠側の球面収差及び軸上色収差が適切に補正される。
【００３６】
第１４に、上記したズームレンズにおいては、以下の条件式（１１）を満足することが望ましい。
（１１）１５＜ｆｇ１／ｆｗ＜２３
但し、
ｆｇ１：第１レンズ群の焦点距離
ｆｗ：広角端及び無限遠合焦時における光学系の全系焦点距離
とする。
【００３７】
これにより、第１レンズ群の屈折力が適正化され、望遠側において入射瞳の径を広げることが可能になると共に広角側の非点収差及び望遠側の球面収差の発生が抑制される。
【００３８】
第１５に、上記したズームレンズにおいては、以下の条件式（１２）を満足することが望ましい。
（１２）−１０．５＜ｆｓｌ１／ｆｇ１＜−５．０
但し、
ｆｓｌ１：第１レンズ群の接合レンズの焦点距離
ｆｇ１：第１レンズ群の焦点距離
とする。
【００３９】
これにより、第１レンズ群の接合レンズの屈折力が適正化され、非点収差の補正効果が高くなると共に接合レンズで発生する非点収差や球面収差や軸上色収差の発生が抑制される。
【００４０】
第１６に、上記したズームレンズにおいては、広角端から望遠端へのズーミングの際に前記第４レンズ群が光軸方向において移動され、フォーカシングの際に前記第４レンズ群が光軸方向において移動されることにより合焦されることが望ましい。
【００４１】
これにより、全長を短縮化したまま高倍率化が可能になると共に無限遠合焦時から近距離合焦時に亘る全フォーカス領域において諸収差が抑制される。
【００４２】
第１７に、上記したズームレンズにおいては、前記第３レンズ群は接合レンズが光軸方向に直交する方向へシフトされることにより像ぶれを補正する機能を有することが望ましい。
【００４３】
これにより、良好なぶれ補正機能が確保されると共に像ぶれ補正時にレンズを駆動する際のアクチュエーターへの負荷が軽減される。
【００４４】
第１８に、上記したズームレンズにおいては、前記第２レンズ群と前記第３レンズ群の間にＦナンバーを決定する開口絞りが配置され、ズーミングの際に前記開口絞りが撮像面に対して固定されていることが望ましい。
【００４５】
これにより、ズーミングの際に虹彩絞りを駆動させるためのアイリスユニットを移動させる必要がなくなる。
【００４６】
第１９に、本技術に係る撮像装置は、ズームレンズと前記ズームレンズによって形成された光学像を電気的信号に変換する撮像素子とを備え、前記ズームレンズは、物体側から像側へ順に配置された正の屈折力を有する第１レンズ群と負の屈折力を有する第２レンズ群と正の屈折力を有する第３レンズ群と正の屈折力を有する第４レンズ群とにより構成され、広角端から望遠端へのズーミングの際に、前記第１レンズ群が撮像面に対して固定され、前記第２レンズ群が前記第３レンズ群との間隔を縮めるように光軸方向において像側へ移動され、前記第３レンズ群は、正レンズと、負レンズと、物体側に位置された正レンズと像側に位置された負レンズとから成る正の屈折力を有する接合レンズとが、物体側から像側へ順に配置されて構成され、以下の条件式（１）を満足するものである。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【００４７】
これにより、第３レンズ群における球面収差とコマ収差や色収差の補正を適切に行うことが可能になる。
【００４８】
第２０に、別の本技術に係る撮像装置は、ズームレンズと前記ズームレンズによって形成された光学像を電気的信号に変換する撮像素子とを備え、前記ズームレンズは、物体側から像側へ順に配置された正の屈折力を有する第１レンズ群と負の屈折力を有する第２レンズ群と正の屈折力を有する第３レンズ群と正の屈折力を有する第４レンズ群とにより構成され、広角端から望遠端へのズーミングの際に、前記第１レンズ群が撮像面に対して固定され、前記第２レンズ群が前記第３レンズ群との間隔を縮めるように光軸方向において像側へ移動され、前記第３レンズ群は、正レンズと、負レンズと、物体側に位置された正レンズと像側に位置された負レンズとから成る正の屈折力を有する接合レンズとが、物体側から像側へ順に配置されて構成され、以下の条件式（２）及び条件式（３）を満足するものである。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【００４９】
これにより、第３レンズ群における球面収差とコマ収差や色収差の補正を適切に行うことが可能になる。
【００５０】
第２１に、上記した撮像装置においては、前記ズームレンズと前記撮像素子の間に光学像を色分解するプリズムブロックが配置されることが望ましい。
【００５１】
これにより、プリズムブロックに入射された光学像が色分解されて撮影画像が生成される。
【発明の効果】
【００５２】
本技術によれば、光学系のズーム倍率を高くした際においても全長の短縮化が図られると共に第３レンズ群における諸収差の抑制及び光学系のバックフォーカスの十分な確保が図られ、高いズーム倍率と全ズーム領域に亘る十分な明るさを確保すると共に撮影画角の十分な広角化を図ることができる。
【００５３】
尚、ここに記載された効果は必ずしも限定されるものではなく、本開示中に記載された何れかの効果であってもよい。
【図面の簡単な説明】
【００５４】
【図１】図２乃至図１６と共に本技術ズームレンズ及び撮像装置の実施の形態を示すものであり、本図は、ズームレンズの第１の実施の形態のレンズ構成を示す図である。
【図２】第１の実施の形態に具体的な数値を適用した数値実施例における広角端の球面収差、非点収差及び歪曲収差を示す図である。
【図３】第１の実施の形態に具体的な数値を適用した数値実施例における望遠端の球面収差、非点収差及び歪曲収差を示す図である。
【図４】ズームレンズの第２の実施の形態のレンズ構成を示す図である。
【図５】第２の実施の形態に具体的な数値を適用した数値実施例における広角端の球面収差、非点収差及び歪曲収差を示す図である。
【図６】第２の実施の形態に具体的な数値を適用した数値実施例における望遠端の球面収差、非点収差及び歪曲収差を示す図である。
【図７】ズームレンズの第３の実施の形態のレンズ構成を示す図である。
【図８】第３の実施の形態に具体的な数値を適用した数値実施例における広角端の球面収差、非点収差及び歪曲収差を示す図である。
【図９】第３の実施の形態に具体的な数値を適用した数値実施例における望遠端の球面収差、非点収差及び歪曲収差を示す図である。
【図１０】ズームレンズの第４の実施の形態のレンズ構成を示す図である。
【図１１】第４の実施の形態に具体的な数値を適用した数値実施例における広角端の球面収差、非点収差及び歪曲収差を示す図である。
【図１２】第４の実施の形態に具体的な数値を適用した数値実施例における望遠端の球面収差、非点収差及び歪曲収差を示す図である。
【図１３】ズームレンズの第５の実施の形態のレンズ構成を示す図である。
【図１４】第５の実施の形態に具体的な数値を適用した数値実施例における広角端の球面収差、非点収差及び歪曲収差を示す図である。
【図１５】第５の実施の形態に具体的な数値を適用した数値実施例における望遠端の球面収差、非点収差及び歪曲収差を示す図である。
【図１６】撮像装置の一例を示すブロック図である。
【発明を実施するための形態】
【００５５】
以下に、本技術ズームレンズ及び撮像装置を実施するための形態について説明する。
【００５６】
［ズームレンズの構成］
本技術ズームレンズは、物体側から像側へ順に配置された正の屈折力を有する第１レンズ群と負の屈折力を有する第２レンズ群と正の屈折力を有する第３レンズ群と正の屈折力を有する第４レンズ群とにより構成されている。また、本技術ズームレンズは、広角端から望遠端へのズーミングの際に、第１レンズ群が撮像面に対して固定され、第２レンズ群が第３レンズ群との間隔を縮めるように光軸方向において像側へ移動される。さらに、本技術ズームレンズは、第３レンズ群は、正レンズと、負レンズと、物体側に位置された正レンズと像側に位置された負レンズとから成る正の屈折力を有する接合レンズとが、物体側から像側へ順に配置されて構成されている。
【００５７】
ズームレンズをこのような構成にすることにより、光学系のズーム倍率を高くした際においても全長の短縮化を図ることが可能になる上に、第３レンズ群における球面収差とコマ収差や色収差の補正を適切に行うことが可能になるため高画質化を実現することが容易になる。
【００５８】
本技術ズームレンズは、以下の条件式（１）を満足する。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【００５９】
条件式（１）は、第３レンズ群の物体側から２枚目に配置された負レンズにおける焦点距離に関する式である。
【００６０】
条件式（１）の下限を超えて小さくなる場合には、負レンズの屈折力が小さくなり過ぎてしまうため、負レンズにおける拡大倍率も小さくなる。従って、特に、光学系の広角化を図って焦点距離を小さくなるように光学設計する場合において、光学系のバックフォーカスを十分に確保することが困難になり、色分解プリズムを採用したカメラやレンズ交換式カメラのような長いバックフォーカスを要する撮像装置に対応させることが不可能になる。
【００６１】
逆に、条件式（１）の上限を超えて大きくなる場合には、負レンズの屈折力が強くなり過ぎてしまうため、第３レンズ群における球面収差やコマ収差、さらには非点収差の発生が大きくなり過ぎるため画質の劣化を来してしまう。
【００６２】
従って、ズームレンズが条件式（１）を満足することにより、負レンズの屈折力が適正化され、光学系のバックフォーカスを十分に確保することができると共に第３レンズ群における球面収差やコマ収差や非点収差の発生が小さくなり画質の向上を図ることができる。
【００６３】
尚、ズームレンズにおいて、より良好な光学性能を得るために、以下の条件式（１）′を満足することが望ましい。
（１）′−０．９５＜ｆｇ３＿ｎｅｇ／ｆｇ３＜−０．６
ズームレンズが条件式（１）′を満足することにより、条件式（１）による効果が一層大きくなり、光学系のバックフォーカスを十分に確保することができると共に第３レンズ群における球面収差やコマ収差や非点収差の発生が一層小さくなり画質の一層の向上を図ることができる。
【００６４】
本技術の一実施形態によるズームレンズにあっては、広角端から望遠端へのズーミングの際に、第３レンズ群が第２レンズ群との間隔を縮めるように光軸方向において移動されることが望ましい。
【００６５】
ズームレンズをこのような構成にすることにより、第３レンズ群がズーミングの際に撮像素子に対して固定されている光学系よりも第３レンズ群の変倍効果を全系のズーム倍率に対して効率的に寄与させることが可能になる。特に、光学系の広角化を図って焦点距離を小さくなるように光学設計する場合においても、第３レンズ群の光軸方向の配置を最適化することができることにより、広角端における第３レンズ群のコマ収差の補正とバックフォーカスの確保をバランスよく光学設計で実現することが可能になる。
【００６６】
本技術の一実施形態によるズームレンズにあっては、広角端から望遠端へのズーミングの際に、第３レンズ群が光軸方向において物体側へ一方向にのみ移動されることが望ましい。
【００６７】
広角端から望遠端へのズーミングの際に第３レンズ群が光軸方向において物体側へ一方向にのみ移動されることにより、第３レンズ群を移動させるためのアクチュエーターや鏡筒の構成部品によるガタやヒステリシスをズーミング時に抑制することができる。特に、動画撮影時における広角端から望遠端又は望遠端から広角端へのズーミングの際における画揺れや画飛びやピントボケ等の画質の劣化を最大限に抑制することが可能になる。
【００６８】
本技術の一実施形態によるズームレンズにあっては、以下の条件式（４）を満足することが望ましい。
（４）７．０＜ｆｇ３／ｆｗ＜１１．０
但し、
ｆｗ：広角端及び無限遠合焦時における光学系の全系焦点距離
とする。
【００６９】
条件式（４）は、第３レンズ群の焦点距離に関する式である。
【００７０】
条件式（４）の上限を超えて大きくなる場合には、第３レンズ群の屈折力が弱くなり過ぎるため、第３レンズ群のズーミングへの変倍寄与度が十分ではなくなり、光学全長の十分な短縮化を達成することが困難になる。
【００７１】
逆に、条件式（４）の下限を超えて小さくなる場合には、第３レンズ群の屈折力が強くなり過ぎるため、第３レンズ群における諸収差の発生量が大きくなり過ぎ、収差補正が困難になって画質の劣化を来してしまう。
【００７２】
従って、ズームレンズが条件式（４）を満足することにより、第３レンズ群の屈折力が適正化され、光学全長の十分な短縮化及び良好な収差補正機能の確保によって画質の向上を図ることができる。
【００７３】
尚、ズームレンズにおいて、より良好な光学性能を得るために、以下の条件式（４）′を満足することが望ましい。
（４）′８．０＜ｆｇ３／ｆｗ＜１０．０
ズームレンズが条件式（４）′を満足することにより、条件式（４）による効果が一層大きくなり、光学全長のより十分な短縮化及び良好な収差補正機能の確保によって画質の一層の向上を図ることができる。
【００７４】
本技術の一実施形態によるズームレンズにあっては、以下の条件式（５）を満足することが望ましい。
（５）０．１０＜｛βｇ３（ｔ）／βｇ３（ｗ）｝／｛ｆｔ／ｆｗ｝＜０．２２
但し、
βｇ３（ｗ）：広角端及び無限遠合焦時における第３レンズ群の横倍率
βｇ３（ｔ）：望遠端及び無限遠合焦時における第３レンズ群の横倍率
ｆｗ：広角端及び無限遠合焦時における光学系の全系焦点距離
ｆｔ：望遠端及び無限遠合焦時における光学系の全系焦点距離
とする。
【００７５】
条件式（５）は、第３レンズ群のズーミングへの変倍寄与度を規定する式である。
【００７６】
条件式（５）の上限を超えて第３レンズ群の変倍寄与度が大きくなる場合には、ズーミング時における第３レンズ群の移動量が大き過ぎるか、第３レンズ群の屈折力が強過ぎることになる。前者の場合には移動ストロークを確保するためにレンズ全長が長くなってしまい、後者の場合には第３レンズ群における諸収差の発生量が大きくなり過ぎて収差補正が困難になり画質の劣化を来してしまう。
【００７７】
逆に、条件式（５）の下限を超えて第３レンズ群の変倍寄与度が小さくなる場合には、光学系の高倍率化を図ることが困難になる。
【００７８】
従って、ズームレンズが条件式（５）を満足することにより、第３レンズ群の変倍寄与度が適正化され、レンズ全長の短縮化及び良好な収差補正機能の確保によって画質の向上を図ることができると共に光学系の高倍率化を図ることができる。
【００７９】
尚、ズームレンズにおいて、より良好な光学性能を得るために、以下の条件式（５）′を満足することが望ましい。
（５）′０．１２＜｛βｇ３（ｔ）／βｇ３（ｗ）｝／｛ｆｔ／ｆｗ｝＜０．２２
ズームレンズが条件式（５）′を満足することにより、条件式（５）による効果が一層大きくなり、レンズ全長の一層の短縮化及び良好な収差補正機能の確保によって画質の一層の向上を図ることができると共に光学系の高倍率化を図ることができる。
【００８０】
本技術の一実施形態によるズームレンズにあっては、以下の条件式（６）を満足することが望ましい。
（６）０．６５＜ｆｓｌ３／ｆｇ３＜１．０５
但し、
ｆｓｌ３：第３レンズ群の接合レンズの焦点距離
とする。
【００８１】
条件式（６）は、第３レンズ群の接合レンズの焦点距離に関する式である。
【００８２】
条件式（６）の上限を超えて大きくなる場合には、接合レンズの屈折力が小さくなり過ぎるため、接合レンズにおける収差補正が適切に行われなくなって画質の劣化を来したり、第３レンズ群の屈折力が小さくなり過ぎるため、第３レンズ群のズーミングへの寄与度が不十分になり、光学全長の十分な短縮化を達成することが困難になる。
【００８３】
逆に、条件式（６）の下限を超えて小さくなる場合には、接合レンズの屈折力が強くなり過ぎるため、接合レンズによって補正している広角端のコマ収差と倍率色収差の発生量が大きくなって画質の劣化を来してしまう。
【００８４】
従って、ズームレンズが条件式（６）を満足することにより、第３レンズ群の接合レンズの屈折力が適正化され、接合レンズの良好な補正機能の確保によって画質の向上及び光学全長の十分な短縮化を図ることができる。
【００８５】
また、本技術の一実施形態によるズームレンズにおいては、第３レンズ群の接合レンズを光軸方向に直交する方向へシフトさせることにより、手振れ等の像ぶれを補正する機能を確保することが望ましい。この場合に、第３レンズ群の負レンズと接合レンズが条件式（１）と条件式（６）を同時に満足することにより、ブレ補正係数を適切に設定することが可能になる。
【００８６】
ズームレンズをこのように構成することにより、光学系のズーム倍率が高くなった場合においても、像ぶれ補正に必要なレンズシフト量が大きくなり過ぎないため、鏡筒全体の小型化を阻害することがなく、また逆に、レンズシフト量が小さくなり過ぎないため、レンズをシフトさせるアクチュエーターの誤差が像ぶれ補正精度に悪影響を及ぼす事態を回避することが可能になる。
【００８７】
さらに、像ぶれ補正に使用するレンズを接合レンズの１要素のみによって構成することにより、アクチュエーターの簡素化と小型化を達成できると共にぶれ補正時に特に望遠側で発生し易い倍率色収差の補正も適切に行えるため高画質化を図ることも可能になる。
【００８８】
尚、ズームレンズにおいて、より良好な光学性能を得るために、以下の条件式（６）′を満足することが望ましい。
（６）′０．７５＜ｆｓｌ３／ｆｇ３＜０．９５
ズームレンズが条件式（６）′を満足することにより、条件式（６）による効果が一層大きくなり、接合レンズのより良好な補正機能の確保によって画質の一層の向上及び光学全長のより十分な短縮化を図ることができる。
【００８９】
本技術の一実施形態によるズームレンズにあっては、以下の条件式（７）を満足することが望ましい。
（７）−０．９０＜Ｒｓｌ３／ｆｇ３＜−０．５０
但し、
Ｒｓｌ３：第３レンズ群の接合レンズにおける接合面の曲率半径
とする。
【００９０】
条件式（７）は、第３レンズ群の接合レンズにおける接合面の曲率半径に関する式である。
【００９１】
条件式（７）の下限を超えて小さくなる場合には、接合レンズにおける接合面の曲率が小さくなり過ぎるため、接合レンズにおける倍率色収差の補正効果が小さくなってしまい画質の劣化を来してしまう。
【００９２】
逆に、条件式（７）の上限を超えて大きくなる場合には、接合レンズにおける接合面の曲率が大きくなり過ぎるため、接合面で発生する色コマ収差が大きくなり過ぎて画質の劣化を来してしまう。また、接合面の曲率が大きくなり過ぎると、接合レンズの厚みが大きくなり過ぎるため、レンズの小型化を妨げてしまう上に、像ぶれ補正時にレンズを駆動する際のアクチュエーターへの負荷が大きくなり過ぎてしまう。
【００９３】
従って、ズームレンズが条件式（７）を満足することにより、接合レンズにおける接合レンズの接合面の曲率が適正化され、画質の向上及びレンズの小型化を図ることができると共に像ぶれ補正時におけるアクチュエーターへの負荷の軽減を図ることができる。
【００９４】
尚、ズームレンズにおいて、より良好な光学性能を得るために、以下の条件式（７）′を満足することが望ましい。
（７）′−０．８０＜Ｒｓｌ３／ｆｇ３＜−０．６０
ズームレンズが条件式（７）′を満足することにより、条件式（７）による効果が一層大きくなり、画質の一層の向上及びレンズの一層の小型化を図ることができると共に像ぶれ補正時におけるアクチュエーターへの一層の負荷の軽減を図ることができる。
【００９５】
本技術の一実施形態によるズームレンズにあっては、第２レンズ群は、負レンズと、負レンズと、物体側に位置された正レンズと像側に位置された負レンズとから成る正の屈折力を有する接合レンズとが、物体側から像側へ順に配置されて構成されることが望ましい。
【００９６】
第２レンズ群をこのように構成にすることにより、負の屈折力を有する第２レンズ群における前側主点の位置を可能な限り物体側に配置させることが可能になる。従って、広角端における光学系の入射瞳位置を物体側に配置させることができ、特に、撮影画角の広角化を図った光学系に関し、ズームレンズにおいて最も物体側に配置されたレンズの径の小型化を図ることができる。
【００９７】
また、第２レンズ群における最も像側に、物体側に位置された正レンズと像側に位置された負レンズとから成る正の屈折力を有する接合レンズを配置することにより、広角側における色コマ収差と望遠側における軸上色収差の補正が適切に行われる。従って、撮影画角の広角化及び高倍率化を図ることができると共にＦナンバーの大口径化を図ったズームレンズにおいても高画質化を図ることができる。
【００９８】
本技術の一実施形態によるズームレンズにあっては、以下の条件式（８）を満足することが望ましい。
（８）−３．５＜ｆｇ２／ｆｗ＜−２．０
但し、
ｆｇ２：第２レンズ群の焦点距離
ｆｗ：広角端及び無限遠合焦時における光学系の全系焦点距離
とする。
【００９９】
条件式（８）は、第２レンズ群の焦点距離に関する式である。
【０１００】
条件式（８）の下限を超えて小さくなる場合には、第２レンズ群の屈折力が小さくなり過ぎるため、ズーミングの際に必要な移動ストロークを長くする必要が生じ、レンズ全系を小型化することが困難になる上に、広角端における光学系の入射瞳の位置を十分に物体側に配置できなくなるためズームレンズにおいて最も物体側に配置されたレンズの径が大型化してしまう。
【０１０１】
逆に、条件式（８）の上限を超えて大きくなる場合には、第２レンズ群の屈折力が強くなり過ぎるため、第２レンズ群における像面湾曲の発生が大きくなり画質の劣化を来してしまう。
【０１０２】
従って、ズームレンズが条件式（８）を満足することにより、第２レンズ群の屈折力が適正化され、レンズ全系の小型化及びズームレンズにおいて最も物体側に配置されたレンズの径の小型化を図ることができると共に第２レンズ群における像面湾曲の発生を小さくして画質の向上を図ることができる。
【０１０３】
尚、ズームレンズにおいて、より良好な光学性能を得るために、以下の条件式（８）′を満足することが望ましい。
（８）′−３．０＜ｆｇ２／ｆｗ＜−２．４
ズームレンズが条件式（８）′を満足することにより、条件式（８）による効果が一層大きくなり、レンズ全系の一層の小型化及びズームレンズにおいて最も物体側に配置されたレンズの径の一層の小型化を図ることができると共に第２レンズ群における像面湾曲の発生をより小さくして画質の一層の向上を図ることができる。
【０１０４】
本技術の一実施形態によるズームレンズにあっては、以下の条件式（９）を満足することが望ましい。
（９）−４．５＜ｆｓｌ２／ｆｇ２＜−２．７
但し、
ｆｓｌ２：第２レンズ群の接合レンズの焦点距離
ｆｇ２：第２レンズ群の焦点距離
とする。
【０１０５】
条件式（９）は、第２レンズ群の接合レンズの焦点距離に関する式である。
【０１０６】
条件式（９）の下限を超えて小さくなる場合には、接合レンズの屈折力が小さくなり過ぎるため、接合レンズにおける収差補正が適切に行われなくなって画質の劣化を来してしまう。
【０１０７】
逆に、条件式（９）の上限を超えて大きくなる場合には、接合レンズの屈折力が強くなり過ぎるため、接合レンズによって補正している広角端のコマ収差と倍率色収差の発生量が大きくなって画質の劣化を来してしまう。
【０１０８】
従って、ズームレンズが条件式（９）を満足することにより、接合レンズの屈折力が適正化され、接合レンズの良好な収差補正機能の確保によって画質の向上を図ることができる。
【０１０９】
尚、ズームレンズにおいて、より良好な光学性能を得るために、以下の条件式（９）′を満足することが望ましい。
（９）′−４．２＜ｆｓｌ２／ｆｇ２＜−３．０
ズームレンズが条件式（９）′を満足することにより、条件式（９）による効果が一層大きくなり、接合レンズのより良好な収差補正機能の確保によって画質の一層の向上を図ることができる。
【０１１０】
本技術の一実施形態によるズームレンズにあっては、以下の条件式（１０）を満足することが望ましい。
（１０）１．５＜Ｒｓｌ２／ｆｇ２＜２．７
但し、
Ｒｓｌ２：第２レンズ群の接合レンズにおける接合面の曲率半径
ｆｇ２：第２レンズ群の焦点距離
とする。
【０１１１】
条件式（１０）は、第３レンズ群の接合レンズにおける接合面の曲率半径に関する式である。
【０１１２】
条件式（１０）の上限を超えて大きくなる場合には、接合レンズにおける接合面の曲率が小さくなり過ぎるため、接合レンズにおける広角側の倍率色収差の補正効果が低くなってしまい画質の劣化を来してしまう。
【０１１３】
逆に、条件式（１０）の下限を超えて小さくなる場合には、接合レンズにおける接合面の曲率が大きくなり過ぎるため、接合面で発生する広角側の色コマ収差が大きくなり過ぎてしまい画質の劣化を来してしまう。また、接合面の曲率が大きくなり過ぎると、接合レンズの厚みが大きくなり過ぎるため、レンズの小型化を妨げてしまう。
【０１１４】
従って、ズームレンズが条件式（１０）を満足することにより、接合レンズにおける接合面の曲率が適正化され、接合レンズにおける広角側の倍率色収差の補正効果が大きくなり画質の向上を図ることができると共に接合レンズの厚みが大きくなり過ぎずレンズの小型化を図ることができる。
【０１１５】
尚、ズームレンズにおいて、より良好な光学性能を得るために、以下の条件式（１０）′を満足することが望ましい。
（１０）′１．７＜Ｒｓｌ２／ｆｇ２＜２．５
ズームレンズが条件式（１０）′を満足することにより、条件式（１０）による効果が一層大きくなり、接合レンズのより良好な収差補正機能の確保によって画質の一層の向上を図ることができると共に接合レンズの一層の小型化を図ることができる。
【０１１６】
本技術の一実施形態によるズームレンズにあっては、第１レンズ群は、物体側に位置された負レンズと像側に位置された正レンズとから成る負の屈折力を有する接合レンズと、正レンズと、正レンズとが、物体側から像側へ順に配置されて構成されることが望ましい。
【０１１７】
ズームレンズをこのような構成にすることにより、広角化を図った光学系においても周辺像高で発生する非点収差を適切に補正することができる上に、高倍率化を図った光学系においても望遠側の球面収差及び軸上色収差を適切に補正することが可能になるため、高画質化を実現することができる。
【０１１８】
本技術の一実施形態によるズームレンズにあっては、以下の条件式（１１）を満足することが望ましい。
（１１）１５＜ｆｇ１／ｆｗ＜２３
但し、
ｆｇ１：第１レンズ群の焦点距離
ｆｗ：広角端及び無限遠合焦時における光学系の全系焦点距離
とする。
【０１１９】
条件式（１１）は、第１レンズ群の焦点距離に関する式である。
【０１２０】
条件式（１１）の上限を超えて大きくなる場合には、第１レンズ群の屈折力が弱くなり過ぎるため、望遠側において入射瞳の径を広げることが困難になり、Ｆナンバーを十分に明るく設定することができなくなるか、光学系の全長が長くなってしまう。
【０１２１】
逆に、条件式（１１）の下限を超えて小さくなる場合には、第１レンズ群の屈折力が強くなり過ぎるため、広角側の非点収差及び望遠側の球面収差の発生が大きくなり過ぎて画質の劣化を来してしまう。
【０１２２】
従って、ズームレンズが条件式（１１）を満足することにより、第１レンズ群の屈折力が適正化され、Ｆナンバーの明るい設定及び光学系の全長の短縮化を図ることができると共に広角側の非点収差及び望遠側の球面収差の発生を抑制して画質の向上を図ることができる。
【０１２３】
尚、ズームレンズにおいて、より良好な光学性能を得るために、以下の条件式（１１）′を満足することが望ましい。
（１１）′１７＜ｆｇ１／ｆｗ＜２１
ズームレンズが条件式（１１）′を満足することにより、条件式（１１）による効果が一層大きくなり、Ｆナンバーのより明るい設定及び光学系の全長の一層の短縮化を図ることができると共に広角側の非点収差及び望遠側の球面収差の発生を一層抑制して画質の一層の向上を図ることができる。
【０１２４】
本技術の一実施形態によるズームレンズにあっては、以下の条件式（１２）を満足することが望ましい。
（１２）−１０．５＜ｆｓｌ１／ｆｇ１＜−５．０
但し、
ｆｓｌ１：第１レンズ群の接合レンズの焦点距離
ｆｇ１：第１レンズ群の焦点距離
とする。
【０１２５】
第１レンズ群の接合レンズは全体として負の屈折力を有することにより、撮影画角の広角化を図った光学系においても広角側の非点収差の補正を効果的に行える上に、広角端での入射瞳の位置を物体側に配置させるためにも都合の良い構成であるため、ズームレンズにおいて最も物体側に配置されたレンズの径の小型化を図ることができる。
【０１２６】
条件式（１２）は、接合レンズの焦点距離に関する式である。
【０１２７】
条件式（１２）の下限を超えて小さくなる場合には、接合レンズの屈折力が弱くなり過ぎるため、非点収差の補正効果が小さくなるため画質の劣化を来すと共にズームレンズにおいて最も物体側に配置されたレンズの径の十分な小型化を図ることが困難になる。
【０１２８】
逆に、条件式（１２）の上限を超えて大きくなる場合には、接合レンズの屈折力が強くなり過ぎるため、接合レンズで発生する非点収差や球面収差や軸上色収差の発生が大きくなり過ぎて画質の劣化を来してしまう。
【０１２９】
従って、ズームレンズが条件式（１２）を満足することにより、接合レンズの屈折力が適正化され、接合レンズの良好な収差補正機能の確保によって画質の向上を図ることができると共にズームレンズにおいて最も物体側に配置されたレンズの径の十分な小型化を図ることができる。
【０１３０】
尚、ズームレンズにおいて、より良好な光学性能を得るために、以下の条件式（１２）′を満足することが望ましい。
（１２）′−９．５＜ｆｓｌ１／ｆｇ１＜−５．５
ズームレンズが条件式（１２）′を満足することにより、条件式（１２）による効果が一層大きくなり、接合レンズのより良好な収差補正機能の確保によって画質の一層の向上を図ることができると共にズームレンズにおいて最も物体側に配置されたレンズの径のより十分な小型化を図ることができる。
【０１３１】
本技術の一実施形態によるズームレンズにあっては、広角端から望遠端へのズーミングの際に第４レンズ群が光軸方向において移動され、フォーカシングの際に第４レンズ群が光軸方向において移動されることにより合焦されることが望ましい。
【０１３２】
ズームレンズをこのような構成にすることにより、全長を短縮化したまま高倍率化が容易になる上に、無限遠合焦時から近距離合焦時に亘る全フォーカス領域において像面湾曲や歪曲収差の変動を最小限に抑えることができる。
【０１３３】
本技術の一実施形態によるズームレンズにあっては、第３レンズ群は接合レンズが光軸方向に直交する方向へシフトされることにより像ぶれを補正する機能を有することが望ましい。
【０１３４】
第３レンズ群の接合レンズを光軸方向に直交する方向へシフトさせることにより、良好なぶれ補正機能が確保され画質の向上を図ることができる。また、第３レンズ群の一部の要素がシフトされることにより、像ぶれ補正時にレンズを駆動する際のアクチュエーターへの負荷の軽減及びアクチュエーターの小型化を図ることができる。
【０１３５】
本技術の一実施形態によるズームレンズにあっては、第２レンズ群と第３レンズ群の間にＦナンバーを決定する開口絞りが配置され、ズーミングの際に開口絞りが撮像面に対して固定されていることが望ましい。
【０１３６】
ズームレンズをこのように構成することにより、ズーミングの際に虹彩絞りを駆動させるためのアイリスユニットを移動させる必要がなくなるため、ズーミング用のアクチュエーターの負荷を軽減することが可能になる上に、アイリスユニットの移動スペースを確保する必要がなくなるため、レンズ鏡筒の全体の小型化を図ることができる。
【０１３７】
［別のズームレンズの構成］
別の本技術ズームレンズは、物体側から像側へ順に配置された正の屈折力を有する第１レンズ群と負の屈折力を有する第２レンズ群と正の屈折力を有する第３レンズ群と正の屈折力を有する第４レンズ群とにより構成されている。また、別の本技術ズームレンズは、広角端から望遠端へのズーミングの際に、第１レンズ群が撮像面に対して固定され、第２レンズ群が第３レンズ群との間隔を縮めるように光軸方向において像側へ移動される。さらに、別の本技術ズームレンズは、第３レンズ群は、正レンズと、負レンズと、物体側に位置された正レンズと像側に位置された負レンズとから成る正の屈折力を有する接合レンズとが、物体側から像側へ順に配置されて構成されている。
【０１３８】
ズームレンズをこのような構成にすることにより、光学系のズーム倍率を高くした際においても全長の短縮化を図ることが可能になる上に、第３レンズ群における球面収差とコマ収差や色収差の補正を適切に行うことが可能になるため高画質化を実現することが容易になる。
【０１３９】
別の本技術ズームレンズは、以下の条件式（２）及び条件式（３）を満足する。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【０１４０】
条件式（２）は、第３レンズ群の物体側から２枚目に配置された負レンズのガラスにおけるｄ線の屈折率を規定する式である。
【０１４１】
条件式（２）の上限を超えて大きくなる場合には、負レンズの凹レンズ面の曲率半径が緩くなり過ぎてしまうため、ペッツバール曲率がマイナス側に大きく発生し、像面湾曲がアンダー側に残り過ぎることにより画質の劣化を来してしまう。
【０１４２】
逆に、条件式（２）の下限を超えて小さくなる場合には、負レンズの凹レンズ面の曲率半径が深くなり過ぎてしまうため、ペッツバール曲率がプラス側に大きく傾き、像面湾曲がオーバー側に発生し過ぎたり、また、曲率が強過ぎるために第３レンズ群での球面収差やコマ収差や非点収差の発生が大きくなり過ぎてしまい画質の劣化を来してしまう。
【０１４３】
従って、ズームレンズが条件式（２）を満足することにより、負レンズの凹レンズ面の曲率半径が適正化され、良好な補正機能の確保によって画質の向上を図ることができる。
【０１４４】
尚、ズームレンズにおいて、より良好な光学性能を得るために、以下の条件式（２）′を満足することが望ましい。
（２）′１．８７５＜Ｎｄｇ３＿ｎｅｇ＜１．９４
ズームレンズが条件式（２）′を満足することにより、条件式（２）による効果が一層大きくなり、一層良好な補正機能の確保によって画質の一層の向上を図ることができる。
【０１４５】
また、ズームレンズにおいて、より一層良好な光学性能を得るために、以下の条件式（２）′′を満足することが望ましい。
（２）′′１．９０＜Ｎｄｇ３＿ｎｅｇ＜１．９３
ズームレンズが条件式（２）′′を満足することにより、条件式（２）による効果がより一層大きくなり、より一層良好な補正機能の確保によってより画質の一層の向上を図ることができる。
【０１４６】
条件式（３）は、第３レンズ群の物体側から２枚目に配置された負レンズのガラスにおけるｄ線のアッベ数を規定する式である。
【０１４７】
条件式（３）の上限を超えて大きくなる場合には、負レンズの色分散効果が小さくなり過ぎるため、正の屈折力を有する第３レンズ群における色収差の補正が十分にできなくなって画質の劣化を来してしまう。
【０１４８】
逆に、条件式（３）の下限を超えて小さくなる場合には、負レンズの色分散効果が大きくなり過ぎるため、第３レンズ群における色収差の補正が過剰になって画質の劣化を来してしまう。
【０１４９】
従って、ズームレンズが条件式（３）を満足することにより、負レンズの色分散効果が適正化され、第３レンズ群における色収差の良好な補正が行われ画質の向上を図ることができる。
【０１５０】
尚、ズームレンズにおいて、より良好な光学性能を得るために、以下の条件式（３）′を満足することが望ましい。
（３）′２１．０＜νｄｇ３＿ｎｅｇ＜２７．０
ズームレンズが条件式（３）′を満足することにより、条件式（３）による効果が一層大きくなり、第３レンズ群における色収差の一層良好な補正が行われ画質の一層の向上を図ることができる。
【０１５１】
また、ズームレンズにおいて、より一層良好な光学性能を得るために、以下の条件式（３）′′を満足することが望ましい。
（３）′′２２．０＜νｄｇ３＿ｎｅｇ＜２５．０
ズームレンズが条件式（３）′′を満足することにより、条件式（３）による効果がより一層大きくなり、第３レンズ群における色収差のより一層良好な補正が行われより画質の一層の向上を図ることができる。
【０１５２】
［ズームレンズの数値実施例］
以下に、本技術ズームレンズの具体的な実施の形態及び実施の形態に具体的な数値を適用した数値実施例について、図面及び表を参照して説明する。
【０１５３】
尚、以下の各表や説明において示した記号の意味等については、下記に示す通りである。
【０１５４】
「ｓｉ」は物体側から像側へ数えた第ｉ番目の面の面番号、「ｒｉ」は第ｉ番目の面の近軸曲率半径、「ｄｉ」は第ｉ番目の面と第ｉ＋１番目の面の間の軸上面間隔（レンズの中心の厚み又は空気間隔）、「Ｎｄｉ」は第ｉ番目の面から始まるレンズ等のｄ線（λ＝５８７．６ｎｍ）における屈折率、「νｄｉ」は第ｉ番目の面から始まるレンズ等のｄ線におけるアッベ数を示す。
【０１５５】
「ｓｉ」に関し、「ＡＳＰ」は当該面が非球面であることを示し、「ＳＴＯ」は開口絞りであることを示し、「ｒｉ」に関し「ＩＮＦＩＮＩＴＹ」は当該面が平面であることを示す。
【０１５６】
「ｄｉ」に関し「ｄｎ（ｎは自然数）」は可変間隔であることを示す。
【０１５７】
「κ」は円錐定数（コーニック定数）、「Ａ」、「Ｂ」、「Ｃ」、「Ｄ」はそれぞれ４次、６次、８次、１０次の非球面係数を示す。
【０１５８】
「ｆ」は光学系の全系焦点距離、「Ｆｎｏ」はＦナンバー、「ω」は半画角、「ＳＴＯφ」は開口絞りの径を示す。
【０１５９】
尚、以下の非球面係数を示す各表において、「Ｅ−ｎ」は１０を底とする指数表現、即ち、「１０のマイナスｎ乗」を表しており、例えば、「０．１２３４５Ｅ−０５」は「０．１２３４５×（１０のマイナス五乗）」を表している。
【０１６０】
各実施の形態において用いられたズームレンズには、レンズ面が非球面に形成されたものがある。非球面形状は、「ｘ」をレンズ面の頂点からの光軸方向における距離（サグ量）、「ｙ」を光軸方向に直交する方向における高さ（像高）、「ｃ」をレンズの頂点における近軸曲率（曲率半径の逆数）、「κ」を円錐定数（コーニック定数）、「Ａ」、「Ｂ」、「Ｃ」、「Ｄ」をそれぞれ４次、６次、８次、１０次の非球面係数とすると、以下の数式１によって定義される。
【０１６１】
【数１】
2015090424.tif 000003
【０１６２】
＜第１の実施の形態＞
図１は、本技術の第１の実施の形態におけるズームレンズ１のレンズ構成を示している。
【０１６３】
ズームレンズ１は変倍比が２２．８倍にされている。
【０１６４】
ズームレンズ１は１４枚のレンズを有し、正の屈折力を有する第１レンズ群Ｇ１と負の屈折力を有する第２レンズ群Ｇ２と正の屈折力を有する第３レンズ群Ｇ３と正の屈折力を有する第４レンズ群Ｇ４とが物体側から像側へ順に配置されている。
【０１６５】
ズームレンズ１は、広角端から望遠端へのズーミングの際に、第１レンズ群Ｇ１が撮像面ＩＭＧに対して固定され、第２レンズ群Ｇ２が第３レンズ群Ｇ３との間隔を縮めるように光軸方向において像側へ移動される。
【０１６６】
ズームレンズ１は、第４レンズ群Ｇ４がフォーカシングに際して光軸方向へ移動されることにより無限遠から近距離までの焦点合わせを行うフォーカスレンズ群にされている。
【０１６７】
第１レンズ群Ｇ１は、物体側に凸面を向けたメニスカス形状の負の屈折力を有する第１レンズＬ１と第１レンズＬ１の像側に位置され物体側に凸面を向けたメニスカス形状の正の屈折力を有する第２レンズＬ２とが接合されて成る接合レンズＳＬ１と、物体側に凸面を向けたメニスカス形状の正の屈折力を有する第３レンズＬ３と、物体側に凸面を向けたメニスカス形状の正の屈折力を有する第４レンズＬ４とが、物体側から像側へ順に配置されて構成されている。接合レンズＳＬ１は全体として負の屈折力を有している。
【０１６８】
第２レンズ群Ｇ２は、像側に凹面を向けたメニスカス形状の負の屈折力を有する第５レンズＬ５と、物体側に凹面を向けたメニスカス形状の負の屈折力を有する第６レンズＬ６と、両凸形状の正の屈折力を有する第７レンズＬ７と第７レンズＬ７の像側に位置され物体側に凹面を向けたメニスカス形状の負の屈折力を有する第８レンズＬ８とが接合されて成る接合レンズＳＬ２とが、物体側から像側へ順に配置されて構成されている。接合レンズＳＬ２は全体として正の屈折力を有している。
【０１６９】
第３レンズ群Ｇ３は、物体側に凸面を向けたメニスカス形状の正の屈折力を有する第９レンズＬ９と、物体側に凸面を向けたメニスカス形状の負の屈折力を有する第１０レンズＬ１０と、両凸形状の正の屈折力を有する第１１レンズＬ１１と第１１レンズＬ１１の像側に位置され物体側に凹面を向けたメニスカス形状の負の屈折力を有する第１２レンズＬ１２とが接合されて成る接合レンズＳＬ３とが、物体側から像側へ順に配置されて構成されている。接合レンズＳＬ３は全体として正の屈折力を有している。
【０１７０】
第４レンズ群Ｇ４は、両凸形状の正の屈折力を有する第１３レンズＬ１３と第１３レンズＬ１３の像側に位置され物体側に凹面を向けたメニスカス形状の負の屈折力を有する第１４レンズＬ１４とが接合されて成る接合レンズＳＬ４によって構成されている。接合レンズＳＬ４は全体として正の屈折力を有している。
【０１７１】
第４レンズ群Ｇ４の像側には物体側から像側へ順に光学フィルターＯＦとプリズムブロックＰＢと像面ＩＭＧが配置されている。プリズムブロックＰＢは光学像を色分解する機能を有している。
【０１７２】
第２レンズ群Ｇ２と第３レンズ群Ｇ３の間には開口絞りＳＴＯが配置されている。開口絞りＳＴＯは、ズーミングの際に撮像面ＩＭＧに対して固定されている
第３レンズ群Ｇ３の接合レンズＳＬ３はぶれ補正群（ぶれ補正レンズ）とされ、ぶれ補正時に光軸方向に直交する方向へ移動される。
【０１７３】
表１に、第１の実施の形態におけるズームレンズ１に具体的数値を適用した数値実施例１のレンズデーターを示す。
【０１７４】
【表１】
2015090424.tif 000004
【０１７５】
数値実施例１における光学系の全系焦点距離ｆ、ＦナンバーＦｎｏ、半画角ω、開口絞りＳＴＯの径ＳＴＯφを可変間隔ｄｎとともに表２に示す。
【０１７６】
【表２】
2015090424.tif 000005
【０１７７】
ズームレンズ１において、第２レンズ群Ｇ２の第５レンズＬ５の両面（第８面、第９面）と第３レンズ群Ｇ３の第９レンズＬ９の両面（第１６面、第１７面）と第３レンズ群Ｇ３の第１１レンズＬ１１の物体側の面（第２０面）と第４レンズ群Ｇ４の第１３レンズＬ１３の物体側の面（第２３面）とは非球面に形成されている。数値実施例１における非球面の４次、６次、８次、１０次の非球面係数Ａ、Ｂ、Ｃ、Ｄを円錐定数κと共に表３に示す。
【０１７８】
【表３】
2015090424.tif 000006
【０１７９】
図２に数値実施例１の広角端における球面収差、非点収差及び歪曲収差を示し、図３に数値実施例１の望遠端における球面収差、非点収差及び歪曲収差を示す。
【０１８０】
図２及び図３には、球面収差において実線はｄ線（５８７．５６ｎｍ）、破線はｇ線（４３５．８４ｎｍ）の値を示し、非点収差において実線はｄ線のサジタル像面、破線はｄ線のメリディオナル像面の値を示し、歪曲収差においてｄ線の値を示す。
【０１８１】
各収差図から、数値実施例１は諸収差が良好に補正され、優れた結像性能を有していることが明らかである。
【０１８２】
＜第２の実施の形態＞
図４は、本技術の第２の実施の形態におけるズームレンズ２のレンズ構成を示している。
【０１８３】
ズームレンズ２は変倍比が２２．８倍にされている。
【０１８４】
ズームレンズ２は１４枚のレンズを有し、正の屈折力を有する第１レンズ群Ｇ１と負の屈折力を有する第２レンズ群Ｇ２と正の屈折力を有する第３レンズ群Ｇ３と正の屈折力を有する第４レンズ群Ｇ４とが物体側から像側へ順に配置されている。
【０１８５】
ズームレンズ２は、広角端から望遠端へのズーミングの際に、第１レンズ群Ｇ１が撮像面ＩＭＧに対して固定され、第２レンズ群Ｇ２が第３レンズ群Ｇ３との間隔を縮めるように光軸方向において像側へ移動される。
【０１８６】
ズームレンズ２は、第４レンズ群Ｇ４がフォーカシングに際して光軸方向へ移動されることにより無限遠から近距離までの焦点合わせを行うフォーカスレンズ群にされている。
【０１８７】
第１レンズ群Ｇ１は、物体側に凸面を向けたメニスカス形状の負の屈折力を有する第１レンズＬ１と第１レンズＬ１の像側に位置され物体側に凸面を向けたメニスカス形状の正の屈折力を有する第２レンズＬ２とが接合されて成る接合レンズＳＬ１と、物体側に凸面を向けたメニスカス形状の正の屈折力を有する第３レンズＬ３と、物体側に凸面を向けたメニスカス形状の正の屈折力を有する第４レンズＬ４とが、物体側から像側へ順に配置されて構成されている。接合レンズＳＬ１は全体として負の屈折力を有している。
【０１８８】
第２レンズ群Ｇ２は、像側に凹面を向けたメニスカス形状の負の屈折力を有する第５レンズＬ５と、物体側に凹面を向けたメニスカス形状の負の屈折力を有する第６レンズＬ６と、両凸形状の正の屈折力を有する第７レンズＬ７と第７レンズＬ７の像側に位置され物体側に凹面を向けたメニスカス形状の負の屈折力を有する第８レンズＬ８とが接合されて成る接合レンズＳＬ２とが、物体側から像側へ順に配置されて構成されている。接合レンズＳＬ２は全体として正の屈折力を有している。
【０１８９】
第３レンズ群Ｇ３は、物体側に凸面を向けたメニスカス形状の正の屈折力を有する第９レンズＬ９と、物体側に凸面を向けたメニスカス形状の負の屈折力を有する第１０レンズＬ１０と、両凸形状の正の屈折力を有する第１１レンズＬ１１と第１１レンズＬ１１の像側に位置され物体側に凹面を向けたメニスカス形状の負の屈折力を有する第１２レンズＬ１２とが接合されて成る接合レンズＳＬ３とが、物体側から像側へ順に配置されて構成されている。接合レンズＳＬ３は全体として正の屈折力を有している。
【０１９０】
第４レンズ群Ｇ４は、両凸形状の正の屈折力を有する第１３レンズＬ１３と第１３レンズＬ１３の像側に位置され物体側に凹面を向けたメニスカス形状の負の屈折力を有する第１４レンズＬ１４とが接合されて成る接合レンズＳＬ４によって構成されている。接合レンズＳＬ４は全体として正の屈折力を有している。
【０１９１】
第４レンズ群Ｇ４の像側には物体側から像側へ順に光学フィルターＯＦとプリズムブロックＰＢと像面ＩＭＧが配置されている。プリズムブロックＰＢは光学像を色分解する機能を有している。
【０１９２】
第２レンズ群Ｇ２と第３レンズ群Ｇ３の間には開口絞りＳＴＯが配置されている。開口絞りＳＴＯは、ズーミングの際に撮像面ＩＭＧに対して固定されている
第３レンズ群Ｇ３の接合レンズＳＬ３はぶれ補正群（ぶれ補正レンズ）とされ、ぶれ補正時に光軸方向に直交する方向へ移動される。
【０１９３】
表４に、第２の実施の形態におけるズームレンズ２に具体的数値を適用した数値実施例２のレンズデーターを示す。
【０１９４】
【表４】
2015090424.tif 000007
【０１９５】
数値実施例２における光学系の全系焦点距離ｆ、ＦナンバーＦｎｏ、半画角ω、開口絞りＳＴＯの径ＳＴＯφを可変間隔ｄｎとともに表５に示す。
【０１９６】
【表５】
2015090424.tif 000008
【０１９７】
ズームレンズ２において、第２レンズ群Ｇ２の第５レンズＬ５の両面（第８面、第９面）と第３レンズ群Ｇ３の第９レンズＬ９の両面（第１６面、第１７面）と第３レンズ群Ｇ３の第１１レンズＬ１１の物体側の面（第２０面）と第４レンズ群Ｇ４の第１３レンズＬ１３の物体側の面（第２３面）とは非球面に形成されている。数値実施例２における非球面の４次、６次、８次、１０次の非球面係数Ａ、Ｂ、Ｃ、Ｄを円錐定数κと共に表６に示す。
【０１９８】
【表６】
2015090424.tif 000009
【０１９９】
図５に数値実施例２の広角端における球面収差、非点収差及び歪曲収差を示し、図６に数値実施例２の望遠端における球面収差、非点収差及び歪曲収差を示す。
【０２００】
図５及び図６には、球面収差において実線はｄ線（５８７．５６ｎｍ）、破線はｇ線（４３５．８４ｎｍ）の値を示し、非点収差において実線はｄ線のサジタル像面、破線はｄ線のメリディオナル像面の値を示し、歪曲収差においてｄ線の値を示す。
【０２０１】
各収差図から、数値実施例２は諸収差が良好に補正され、優れた結像性能を有していることが明らかである。
【０２０２】
＜第３の実施の形態＞
図７は、本技術の第３の実施の形態におけるズームレンズ３のレンズ構成を示している。
【０２０３】
ズームレンズ３は変倍比が２２．８倍にされている。
【０２０４】
ズームレンズ３は１４枚のレンズを有し、正の屈折力を有する第１レンズ群Ｇ１と負の屈折力を有する第２レンズ群Ｇ２と正の屈折力を有する第３レンズ群Ｇ３と正の屈折力を有する第４レンズ群Ｇ４とが物体側から像側へ順に配置されている。
【０２０５】
ズームレンズ３は、広角端から望遠端へのズーミングの際に、第１レンズ群Ｇ１が撮像面ＩＭＧに対して固定され、第２レンズ群Ｇ２が第３レンズ群Ｇ３との間隔を縮めるように光軸方向において像側へ移動される。
【０２０６】
ズームレンズ３は、第４レンズ群Ｇ４がフォーカシングに際して光軸方向へ移動されることにより無限遠から近距離までの焦点合わせを行うフォーカスレンズ群にされている。
【０２０７】
第１レンズ群Ｇ１は、物体側に凸面を向けたメニスカス形状の負の屈折力を有する第１レンズＬ１と第１レンズＬ１の像側に位置され物体側に凸面を向けたメニスカス形状の正の屈折力を有する第２レンズＬ２とが接合されて成る接合レンズＳＬ１と、物体側に凸面を向けたメニスカス形状の正の屈折力を有する第３レンズＬ３と、物体側に凸面を向けたメニスカス形状の正の屈折力を有する第４レンズＬ４とが、物体側から像側へ順に配置されて構成されている。接合レンズＳＬ１は全体として負の屈折力を有している。
【０２０８】
第２レンズ群Ｇ２は、像側に凹面を向けたメニスカス形状の負の屈折力を有する第５レンズＬ５と、物体側に凹面を向けたメニスカス形状の負の屈折力を有する第６レンズＬ６と、両凸形状の正の屈折力を有する第７レンズＬ７と第７レンズＬ７の像側に位置され物体側に凹面を向けたメニスカス形状の負の屈折力を有する第８レンズＬ８とが接合されて成る接合レンズＳＬ２とが、物体側から像側へ順に配置されて構成されている。接合レンズＳＬ２は全体として正の屈折力を有している。
【０２０９】
第３レンズ群Ｇ３は、物体側に凸面を向けたメニスカス形状の正の屈折力を有する第９レンズＬ９と、物体側に凸面を向けたメニスカス形状の負の屈折力を有する第１０レンズＬ１０と、両凸形状の正の屈折力を有する第１１レンズＬ１１と第１１レンズＬ１１の像側に位置され物体側に凹面を向けたメニスカス形状の負の屈折力を有する第１２レンズＬ１２とが接合されて成る接合レンズＳＬ３とが、物体側から像側へ順に配置されて構成されている。接合レンズＳＬ３は全体として正の屈折力を有している。
【０２１０】
第４レンズ群Ｇ４は、両凸形状の正の屈折力を有する第１３レンズＬ１３と第１３レンズＬ１３の像側に位置され物体側に凹面を向けたメニスカス形状の負の屈折力を有する第１４レンズＬ１４とが接合されて成る接合レンズＳＬ４によって構成されている。接合レンズＳＬ４は全体として正の屈折力を有している。
【０２１１】
第４レンズ群Ｇ４の像側には物体側から像側へ順に光学フィルターＯＦとプリズムブロックＰＢと像面ＩＭＧが配置されている。プリズムブロックＰＢは光学像を色分解する機能を有している。
【０２１２】
第２レンズ群Ｇ２と第３レンズ群Ｇ３の間には開口絞りＳＴＯが配置されている。開口絞りＳＴＯは、ズーミングの際に撮像面ＩＭＧに対して固定されている
第３レンズ群Ｇ３の接合レンズＳＬ３はぶれ補正群（ぶれ補正レンズ）とされ、ぶれ補正時に光軸方向に直交する方向へ移動される。
【０２１３】
表７に、第３の実施の形態におけるズームレンズ３に具体的数値を適用した数値実施例３のレンズデーターを示す。
【０２１４】
【表７】
2015090424.tif 000010
【０２１５】
数値実施例３における光学系の全系焦点距離ｆ、ＦナンバーＦｎｏ、半画角ω、開口絞りＳＴＯの径ＳＴＯφを可変間隔ｄｎとともに表８に示す。
【０２１６】
【表８】
2015090424.tif 000011
【０２１７】
ズームレンズ３において、第２レンズ群Ｇ２の第５レンズＬ５の両面（第８面、第９面）と第３レンズ群Ｇ３の第９レンズＬ９の両面（第１６面、第１７面）と第３レンズ群Ｇ３の第１１レンズＬ１１の物体側の面（第２０面）と第４レンズ群Ｇ４の第１３レンズＬ１３の物体側の面（第２３面）とは非球面に形成されている。数値実施例３における非球面の４次、６次、８次、１０次の非球面係数Ａ、Ｂ、Ｃ、Ｄを円錐定数κと共に表９に示す。
【０２１８】
【表９】
2015090424.tif 000012
【０２１９】
図８に数値実施例３の広角端における球面収差、非点収差及び歪曲収差を示し、図９に数値実施例３の望遠端における球面収差、非点収差及び歪曲収差を示す。
【０２２０】
図８及び図９には、球面収差において実線はｄ線（５８７．５６ｎｍ）、破線はｇ線（４３５．８４ｎｍ）の値を示し、非点収差において実線はｄ線のサジタル像面、破線はｄ線のメリディオナル像面の値を示し、歪曲収差においてｄ線の値を示す。
【０２２１】
各収差図から、数値実施例３は諸収差が良好に補正され、優れた結像性能を有していることが明らかである。
【０２２２】
＜第４の実施の形態＞
図１０は、本技術の第４の実施の形態におけるズームレンズ４のレンズ構成を示している。
【０２２３】
ズームレンズ４は変倍比が２２．８倍にされている。
【０２２４】
ズームレンズ４は１４枚のレンズを有し、正の屈折力を有する第１レンズ群Ｇ１と負の屈折力を有する第２レンズ群Ｇ２と正の屈折力を有する第３レンズ群Ｇ３と正の屈折力を有する第４レンズ群Ｇ４とが物体側から像側へ順に配置されている。
【０２２５】
ズームレンズ４は、広角端から望遠端へのズーミングの際に、第１レンズ群Ｇ１が撮像面ＩＭＧに対して固定され、第２レンズ群Ｇ２が第３レンズ群Ｇ３との間隔を縮めるように光軸方向において像側へ移動される。
【０２２６】
ズームレンズ４は、第４レンズ群Ｇ４がフォーカシングに際して光軸方向へ移動されることにより無限遠から近距離までの焦点合わせを行うフォーカスレンズ群にされている。
【０２２７】
第１レンズ群Ｇ１は、物体側に凸面を向けたメニスカス形状の負の屈折力を有する第１レンズＬ１と第１レンズＬ１の像側に位置され物体側に凸面を向けたメニスカス形状の正の屈折力を有する第２レンズＬ２とが接合されて成る接合レンズＳＬ１と、物体側に凸面を向けたメニスカス形状の正の屈折力を有する第３レンズＬ３と、物体側に凸面を向けたメニスカス形状の正の屈折力を有する第４レンズＬ４とが、物体側から像側へ順に配置されて構成されている。接合レンズＳＬ１は全体として負の屈折力を有している。
【０２２８】
第２レンズ群Ｇ２は、像側に凹面を向けたメニスカス形状の負の屈折力を有する第５レンズＬ５と、両凹形状の負の屈折力を有する第６レンズＬ６と、両凸形状の正の屈折力を有する第７レンズＬ７と第７レンズＬ７の像側に位置され物体側に凹面を向けたメニスカス形状の負の屈折力を有する第８レンズＬ８とが接合されて成る接合レンズＳＬ２とが、物体側から像側へ順に配置されて構成されている。接合レンズＳＬ２は全体として正の屈折力を有している。
【０２２９】
第３レンズ群Ｇ３は、物体側に凸面を向けたメニスカス形状の正の屈折力を有する第９レンズＬ９と、物体側に凸面を向けたメニスカス形状の負の屈折力を有する第１０レンズＬ１０と、両凸形状の正の屈折力を有する第１１レンズＬ１１と第１１レンズＬ１１の像側に位置され物体側に凹面を向けたメニスカス形状の負の屈折力を有する第１２レンズＬ１２とが接合されて成る接合レンズＳＬ３とが、物体側から像側へ順に配置されて構成されている。接合レンズＳＬ３は全体として正の屈折力を有している。
【０２３０】
第４レンズ群Ｇ４は、両凸形状の正の屈折力を有する第１３レンズＬ１３と第１３レンズＬ１３の像側に位置され物体側に凹面を向けたメニスカス形状の負の屈折力を有する第１４レンズＬ１４とが接合されて成る接合レンズＳＬ４によって構成されている。接合レンズＳＬ４は全体として正の屈折力を有している。
【０２３１】
第４レンズ群Ｇ４の像側には物体側から像側へ順に光学フィルターＯＦとプリズムブロックＰＢと像面ＩＭＧが配置されている。プリズムブロックＰＢは光学像を色分解する機能を有している。
【０２３２】
第２レンズ群Ｇ２と第３レンズ群Ｇ３の間には開口絞りＳＴＯが配置されている。開口絞りＳＴＯは、ズーミングの際に撮像面ＩＭＧに対して固定されている
第３レンズ群Ｇ３の接合レンズＳＬ３はぶれ補正群（ぶれ補正レンズ）とされ、ぶれ補正時に光軸方向に直交する方向へ移動される。
【０２３３】
表１０に、第４の実施の形態におけるズームレンズ４に具体的数値を適用した数値実施例４のレンズデーターを示す。
【０２３４】
【表１０】
2015090424.tif 000013
【０２３５】
数値実施例４における光学系の全系焦点距離ｆ、ＦナンバーＦｎｏ、半画角ω、開口絞りＳＴＯの径ＳＴＯφを可変間隔ｄｎとともに表１１に示す。
【０２３６】
【表１１】
2015090424.tif 000014
【０２３７】
ズームレンズ４において、第２レンズ群Ｇ２の第５レンズＬ５の両面（第８面、第９面）と第２レンズ群Ｇ２の第７レンズＬ７の物体側の面（第１２面）と第３レンズ群Ｇ３の第９レンズＬ９の両面（第１６面、第１７面）と第３レンズ群Ｇ３の第１１レンズＬ１１の物体側の面（第２０面）と第４レンズ群Ｇ４の第１３レンズＬ１３の物体側の面（第２３面）とは非球面に形成されている。数値実施例４における非球面の４次、６次、８次、１０次の非球面係数Ａ、Ｂ、Ｃ、Ｄを円錐定数κと共に表１２に示す。
【０２３８】
【表１２】
2015090424.tif 000015
【０２３９】
図１１に数値実施例４の広角端における球面収差、非点収差及び歪曲収差を示し、図１１に数値実施例４の望遠端における球面収差、非点収差及び歪曲収差を示す。
【０２４０】
図１１及び図１２には、球面収差において実線はｄ線（５８７．５６ｎｍ）、破線はｇ線（４３５．８４ｎｍ）の値を示し、非点収差において実線はｄ線のサジタル像面、破線はｄ線のメリディオナル像面の値を示し、歪曲収差においてｄ線の値を示す。
【０２４１】
各収差図から、数値実施例４は諸収差が良好に補正され、優れた結像性能を有していることが明らかである。
【０２４２】
＜第５の実施の形態＞
図１３は、本技術の第５の実施の形態におけるズームレンズ５のレンズ構成を示している。
【０２４３】
ズームレンズ５は変倍比が２４．０倍にされている。
【０２４４】
ズームレンズ５は１４枚のレンズを有し、正の屈折力を有する第１レンズ群Ｇ１と負の屈折力を有する第２レンズ群Ｇ２と正の屈折力を有する第３レンズ群Ｇ３と正の屈折力を有する第４レンズ群Ｇ４とが物体側から像側へ順に配置されている。
【０２４５】
ズームレンズ５は、広角端から望遠端へのズーミングの際に、第１レンズ群Ｇ１が撮像面ＩＭＧに対して固定され、第２レンズ群Ｇ２が第３レンズ群Ｇ３との間隔を縮めるように光軸方向において像側へ移動される。
【０２４６】
ズームレンズ５は、第４レンズ群Ｇ４がフォーカシングに際して光軸方向へ移動されることにより無限遠から近距離までの焦点合わせを行うフォーカスレンズ群にされている。
【０２４７】
第１レンズ群Ｇ１は、物体側に凸面を向けたメニスカス形状の負の屈折力を有する第１レンズＬ１と第１レンズＬ１の像側に位置され両凸形状の正の屈折力を有する第２レンズＬ２とが接合されて成る接合レンズＳＬ１と、物体側に凸面を向けたメニスカス形状の正の屈折力を有する第３レンズＬ３と、物体側に凸面を向けたメニスカス形状の正の屈折力を有する第４レンズＬ４とが、物体側から像側へ順に配置されて構成されている。接合レンズＳＬ１は全体として負の屈折力を有している。
【０２４８】
第２レンズ群Ｇ２は、像側に凹面を向けたメニスカス形状の負の屈折力を有する第５レンズＬ５と、物体側に凹面を向けたメニスカス形状の負の屈折力を有する第６レンズＬ６と、両凸形状の正の屈折力を有する第７レンズＬ７と第７レンズＬ７の像側に位置され物体側に凹面を向けたメニスカス形状の負の屈折力を有する第８レンズＬ８とが接合されて成る接合レンズＳＬ２とが、物体側から像側へ順に配置されて構成されている。接合レンズＳＬ２は全体として正の屈折力を有している。
【０２４９】
第３レンズ群Ｇ３は、物体側に凸面を向けたメニスカス形状の正の屈折力を有する第９レンズＬ９と、物体側に凸面を向けたメニスカス形状の負の屈折力を有する第１０レンズＬ１０と、両凸形状の正の屈折力を有する第１１レンズＬ１１と第１１レンズＬ１１の像側に位置され物体側に凹面を向けたメニスカス形状の負の屈折力を有する第１２レンズＬ１２とが接合されて成る接合レンズＳＬ３とが、物体側から像側へ順に配置されて構成されている。接合レンズＳＬ３は全体として正の屈折力を有している。
【０２５０】
第４レンズ群Ｇ４は、両凸形状の正の屈折力を有する第１３レンズＬ１３と第１３レンズＬ１３の像側に位置され物体側に凹面を向けたメニスカス形状の負の屈折力を有する第１４レンズＬ１４とが接合されて成る接合レンズＳＬ４によって構成されている。接合レンズＳＬ４は全体として正の屈折力を有している。
【０２５１】
第４レンズ群Ｇ４の像側には物体側から像側へ順に光学フィルターＯＦとプリズムブロックＰＢと像面ＩＭＧが配置されている。プリズムブロックＰＢは光学像を色分解する機能を有している。
【０２５２】
第２レンズ群Ｇ２と第３レンズ群Ｇ３の間には開口絞りＳＴＯが配置されている。開口絞りＳＴＯは、ズーミングの際に撮像面ＩＭＧに対して固定されている
第３レンズ群Ｇ３の接合レンズＳＬ３はぶれ補正群（ぶれ補正レンズ）とされ、ぶれ補正時に光軸方向に直交する方向へ移動される。
【０２５３】
表１３に、第５の実施の形態におけるズームレンズ５に具体的数値を適用した数値実施例５のレンズデーターを示す。
【０２５４】
【表１３】
2015090424.tif 000016
【０２５５】
数値実施例５における光学系の全系焦点距離ｆ、ＦナンバーＦｎｏ、半画角ω、開口絞りＳＴＯの径ＳＴＯφを可変間隔ｄｎとともに表１４に示す。
【０２５６】
【表１４】
2015090424.tif 000017
【０２５７】
ズームレンズ５において、第２レンズ群Ｇ２の第５レンズＬ５の両面（第８面、第９面）と第２レンズ群Ｇ２の第７レンズＬ７の物体側の面（第１２面）と第３レンズ群Ｇ３の第９レンズＬ９の両面（第１６面、第１７面）と第３レンズ群Ｇ３の第１１レンズＬ１１の物体側の面（第２０面）と第４レンズ群Ｇ４の第１３レンズＬ１３の物体側の面（第２３面）とは非球面に形成されている。数値実施例５における非球面の４次、６次、８次、１０次の非球面係数Ａ、Ｂ、Ｃ、Ｄを円錐定数κと共に表１５に示す。
【０２５８】
【表１５】
2015090424.tif 000018
【０２５９】
図１４に数値実施例５の広角端における球面収差、非点収差及び歪曲収差を示し、図１５に数値実施例５の望遠端における球面収差、非点収差及び歪曲収差を示す。
【０２６０】
図１４及び図１５には、球面収差において実線はｄ線（５８７．５６ｎｍ）、破線はｇ線（４３５．８４ｎｍ）の値を示し、非点収差において実線はｄ線のサジタル像面、破線はｄ線のメリディオナル像面の値を示し、歪曲収差においてｄ線の値を示す。
【０２６１】
各収差図から、数値実施例５は諸収差が良好に補正され、優れた結像性能を有していることが明らかである。
【０２６２】
［ズームレンズの条件式の各値］
以下に、本技術ズームレンズの条件式の各値について説明する。
【０２６３】
表１６にズームレンズ１乃至ズームレンズ５の数値実施例１乃至数値実施例５における条件式（１）乃至条件式（１２）の各値を示す。
【０２６４】
【表１６】
2015090424.tif 000019
【０２６５】
表１６から明らかなように、ズームレンズ１乃至ズームレンズ５は条件式（１）乃至条件式（１２）を満足するようにされている。
【０２６６】
［撮像装置の構成］
本技術撮像装置は、ズームレンズが、物体側から像側へ順に配置された正の屈折力を有する第１レンズ群と負の屈折力を有する第２レンズ群と正の屈折力を有する第３レンズ群と正の屈折力を有する第４レンズ群とにより構成されている。また、本技術撮像装置は、ズームレンズが、広角端から望遠端へのズーミングの際に、第１レンズ群が撮像面に対して固定され、第２レンズ群が第３レンズ群との間隔を縮めるように光軸方向において像側へ移動される。さらに、本技術撮像装置は、ズームレンズが、第３レンズ群は、正レンズと、負レンズと、物体側に位置された正レンズと像側に位置された負レンズとから成る正の屈折力を有する接合レンズとが、物体側から像側へ順に配置されて構成されている。
【０２６７】
ズームレンズをこのような構成にすることにより、光学系のズーム倍率を高くした際においても全長の短縮化を図ることが可能になる上に、第３レンズ群における球面収差とコマ収差や色収差の補正を適切に行うことが可能になるため高画質化を実現することが容易になる。
【０２６８】
本技術撮像装置は、ズームレンズが、以下の条件式（１）を満足する。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【０２６９】
条件式（１）は、第３レンズ群の物体側から２枚目に配置された負レンズにおける焦点距離に関する式である。
【０２７０】
条件式（１）の下限を超えて小さくなる場合には、負レンズの屈折力が小さくなり過ぎてしまうため、負レンズにおける拡大倍率も小さくなる。従って、特に、光学系の広角化を図って焦点距離を小さくなるように光学設計する場合において、光学系のバックフォーカスを十分に確保することが困難になり、色分解プリズムを採用したカメラやレンズ交換式カメラのような長いバックフォーカスを要する撮像装置に対応させることが不可能になる。
【０２７１】
逆に、条件式（１）の上限を超えて大きくなる場合には、負レンズの屈折力が強くなり過ぎてしまうため、第３レンズ群における球面収差やコマ収差、さらには非点収差の発生が大きくなり過ぎるため画質の劣化を来してしまう。
【０２７２】
従って、ズームレンズが条件式（１）を満足することにより、負レンズの屈折力が適正化され、光学系のバックフォーカスを十分に確保することができると共に第３レンズ群における球面収差やコマ収差や非点収差の発生が小さくなり画質の向上を図ることができる。
【０２７３】
尚、ズームレンズにおいて、より良好な光学性能を得るために、以下の条件式（１）′を満足することが望ましい。
（１）′−０．９５＜ｆｇ３＿ｎｅｇ／ｆｇ３＜−０．６
ズームレンズが条件式（１）′を満足することにより、条件式（１）による効果が一層大きくなり、光学系のバックフォーカスを十分に確保することができると共に第３レンズ群における球面収差やコマ収差や非点収差の発生が一層小さくなり画質の一層の向上を図ることができる。
【０２７４】
本技術の一実施形態による撮像装置にあっては、ズームレンズと撮像素子の間に光学像を色分解するプリズムブロックが配置されることが望ましい。
【０２７５】
ズームレンズと撮像素子の間に光学像を色分解するプリズムブロックが配置されることにより、プリズムブロックに入射された光学像が色分解され、プリズムブロックによる優れた色再現能力によって画質の向上を図ることができる。
【０２７６】
［別の撮像装置の構成］
別の本技術撮像装置は、ズームレンズが、物体側から像側へ順に配置された正の屈折力を有する第１レンズ群と負の屈折力を有する第２レンズ群と正の屈折力を有する第３レンズ群と正の屈折力を有する第４レンズ群とにより構成されている。また、別の本技術撮像装置は、ズームレンズが、広角端から望遠端へのズーミングの際に、第１レンズ群が撮像面に対して固定され、第２レンズ群が第３レンズ群との間隔を縮めるように光軸方向において像側へ移動される。さらに、別の本技術撮像装置は、ズームレンズが、第３レンズ群は、正レンズと、負レンズと、物体側に位置された正レンズと像側に位置された負レンズとから成る正の屈折力を有する接合レンズとが、物体側から像側へ順に配置されて構成されている。
【０２７７】
ズームレンズをこのような構成にすることにより、光学系のズーム倍率を高くした際においても全長の短縮化を図ることが可能になる上に、第３レンズ群における球面収差とコマ収差や色収差の補正を適切に行うことが可能になるため高画質化を実現することが容易になる。
【０２７８】
別の本技術撮像装置は、ズームレンズが、以下の条件式（２）及び条件式（３）を満足する。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【０２７９】
条件式（２）は、第３レンズ群の物体側から２枚目に配置された負レンズのガラスにおけるｄ線の屈折率を規定する式である。
【０２８０】
条件式（２）の上限を超えて大きくなる場合には、負レンズの凹レンズ面の曲率半径が緩くなり過ぎてしまうため、ペッツバール曲率がマイナス側に大きく発生し、像面湾曲がアンダー側に残り過ぎることにより画質の劣化を来してしまう。
【０２８１】
逆に、条件式（２）の下限を超えて小さくなる場合には、負レンズの凹レンズ面の曲率半径が深くなり過ぎてしまうため、ペッツバール曲率がプラス側に大きく傾き、像面湾曲がオーバー側に発生し過ぎたり、また、曲率が強過ぎるために第３レンズ群での球面収差やコマ収差や非点収差の発生が大きくなり過ぎてしまい画質の劣化を来してしまう。
【０２８２】
従って、ズームレンズが条件式（２）を満足することにより、負レンズの凹レンズ面の曲率半径が適正化され、良好な補正機能の確保によって画質の向上を図ることができる。
【０２８３】
尚、ズームレンズにおいて、より良好な光学性能を得るために、以下の条件式（２）′を満足することが望ましい。
（２）′１．８７５＜Ｎｄｇ３＿ｎｅｇ＜１．９４
ズームレンズが条件式（２）′を満足することにより、条件式（２）による効果が一層大きくなり、一層良好な補正機能の確保によって画質の一層の向上を図ることができる。
【０２８４】
また、ズームレンズにおいて、より一層良好な光学性能を得るために、以下の条件式（２）′′を満足することが望ましい。
（２）′′１．９０＜Ｎｄｇ３＿ｎｅｇ＜１．９３
ズームレンズが条件式（２）′′を満足することにより、条件式（２）による効果がより一層大きくなり、より一層良好な補正機能の確保によってより画質の一層の向上を図ることができる。
【０２８５】
条件式（３）は、第３レンズ群の物体側から２枚目に配置された負レンズのガラスにおけるｄ線のアッベ数を規定する式である。
【０２８６】
条件式（３）の上限を超えて大きくなる場合には、負レンズの色分散効果が小さくなり過ぎるため、正の屈折力を有する第３レンズ群における色収差の補正が十分にできなくなって画質の劣化を来してしまう。
【０２８７】
逆に、条件式（３）の下限を超えて小さくなる場合には、負レンズの色分散効果が大きくなり過ぎるため、第３レンズ群における色収差の補正が過剰になって画質の劣化を来してしまう。
【０２８８】
従って、ズームレンズが条件式（３）を満足することにより、負レンズの色分散効果が適正化され、第３レンズ群における色収差の良好な補正が行われ画質の向上を図ることができる。
【０２８９】
尚、ズームレンズにおいて、より良好な光学性能を得るために、以下の条件式（３）′を満足することが望ましい。
（３）′２１．０＜νｄｇ３＿ｎｅｇ＜２７．０
ズームレンズが条件式（３）′を満足することにより、条件式（３）による効果が一層大きくなり、第３レンズ群における色収差の一層良好な補正が行われ画質の一層の向上を図ることができる。
【０２９０】
また、ズームレンズにおいて、より一層良好な光学性能を得るために、以下の条件式（３）′′を満足することが望ましい。
（３）′′２２．０＜νｄｇ３＿ｎｅｇ＜２５．０
ズームレンズが条件式（３）′′を満足することにより、条件式（３）による効果がより一層大きくなり、第３レンズ群における色収差のより一層良好な補正が行われより画質の一層の向上を図ることができる。
【０２９１】
［撮像装置の一実施形態］
図１６に、本技術撮像装置の一実施形態によるデジタルスチルカメラのブロック図を示す。
【０２９２】
撮像装置（デジタルスチルカメラ）１００は、撮像機能を担うカメラブロック１０と、撮影された画像信号のアナログ−デジタル変換等の信号処理を行うカメラ信号処理部２０と、画像信号の記録再生処理を行う画像処理部３０とを有している。また、撮像装置１００は、撮影された画像等を表示するＬＣＤ（Liquid Crystal Display）等の表示部４０と、メモリーカード（記録メディア）１０００への画像信号の書込及び読出を行うＲ／Ｗ（リーダ／ライタ）５０と、撮像装置１００の全体を制御するＣＰＵ（Central Processing Unit）６０と、ユーザーによって所要の操作が行われる各種のスイッチ等から成る入力部７０と、カメラブロック１０に配置されたレンズの駆動を制御するレンズ駆動制御部８０とを備えている。
【０２９３】
カメラブロック１０は、ズームレンズ１１（本技術が適用されるズームレンズ１乃至ズームレンズ５）を含む光学系や、ＣＣＤ（Charge Coupled Device）やＣＭＯＳ（Complementary Metal Oxide Semiconductor）等の撮像素子１２等とによって構成されている。
【０２９４】
カメラ信号処理部２０は、撮像素子１２からの出力信号に対するデジタル信号への変換、ノイズ除去、画質補正、輝度・色差信号への変換等の各種の信号処理を行う。
【０２９５】
画像処理部３０は、所定の画像データーフォーマットに基づく画像信号の圧縮符号化・伸張復号化処理や解像度等のデーター仕様の変換処理等を行う。
【０２９６】
表示部４０はユーザーの入力部７０に対する操作状態や撮影した画像等の各種のデーターを表示する機能を有している。
【０２９７】
Ｒ／Ｗ５０は、画像処理部３０によって符号化された画像データーのメモリーカード１０００への書込及びメモリーカード１０００に記録された画像データーの読出を行う。
【０２９８】
ＣＰＵ６０は、撮像装置１００に設けられた各回路ブロックを制御する制御処理部として機能し、入力部７０からの指示入力信号等に基づいて各回路ブロックを制御する。
【０２９９】
入力部７０は、例えば、シャッター操作を行うためのシャッターレリーズボタンや、動作モードを選択するための選択スイッチ等によって構成され、ユーザーによる操作に応じた指示入力信号をＣＰＵ６０に対して出力する。
【０３００】
レンズ駆動制御部８０は、ＣＰＵ６０からの制御信号に基づいてズームレンズ１１の各レンズを駆動する図示しないモータ等を制御する。
【０３０１】
メモリーカード１０００は、例えば、Ｒ／Ｗ５０に接続されたスロットに対して着脱可能な半導体メモリーである。
【０３０２】
以下に、撮像装置１００における動作を説明する。
【０３０３】
撮影の待機状態では、ＣＰＵ６０による制御の下で、カメラブロック１０において撮影された画像信号が、カメラ信号処理部２０を介して表示部４０に出力され、カメラスルー画像として表示される。また、入力部７０からのズーミングのための指示入力信号が入力されると、ＣＰＵ６０がレンズ駆動制御部８０に制御信号を出力し、レンズ駆動制御部８０の制御に基づいてズームレンズ１１の所定のレンズが移動される。
【０３０４】
入力部７０からの指示入力信号によりカメラブロック１０の図示しないシャッターが動作されると、撮影された画像信号がカメラ信号処理部２０から画像処理部３０に出力されて圧縮符号化処理され、所定のデーターフォーマットのデジタルデーターに変換される。変換されたデーターはＲ／Ｗ５０に出力され、メモリーカード１０００に書き込まれる。
【０３０５】
フォーカシングは、例えば、入力部７０のシャッターレリーズボタンが半押しされた場合や記録（撮影）のために全押しされた場合等に、ＣＰＵ６０からの制御信号に基づいてレンズ駆動制御部８０がズームレンズ１１の所定のレンズを移動させることにより行われる。
【０３０６】
メモリーカード１０００に記録された画像データーを再生する場合には、入力部７０に対する操作に応じて、Ｒ／Ｗ５０によってメモリーカード１０００から所定の画像データーが読み出され、画像処理部３０によって伸張復号化処理が行われた後、再生画像信号が表示部４０に出力されて再生画像が表示される。
【０３０７】
［その他］
本技術ズームレンズ及び本技術撮像装置においては、第１レンズ群Ｇ１乃至第４レンズ群Ｇ４に加えて屈折力を有さないレンズ等の他の光学要素が配置されていてもよい。この場合において、本技術ズームレンズのレンズ構成は第１レンズ群Ｇ１乃至第４レンズ群Ｇ４の実質的に４群のレンズ構成にされる。
【０３０８】
また、本技術によれば、撮影画角が十分に広角であり、かつ、高倍率でありながら、コンパクトで全ズーム範囲に亘り十分に明るく高い光学性能を有し、さらには色分解プリズムを採用したカメラやレンズ交換式カメラにも対応可能な十分長いバックフォーカスを確保することができる。
【０３０９】
尚、本明細書に記載された効果はあくまでも例示であって限定されるものではなく、また、他の効果があってもよい。
【０３１０】
［本技術］
本技術は、以下の構成にすることもできる。
【０３１１】
＜１＞
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（１）を満足する
ズームレンズ。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【０３１２】
＜２＞
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（２）及び条件式（３）を満足する
ズームレンズ。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【０３１３】
＜３＞
広角端から望遠端へのズーミングの際に、前記第３レンズ群が前記第２レンズ群との間隔を縮めるように光軸方向において移動される
前記＜１＞又は前記＜２＞に記載のズームレンズ。
【０３１４】
＜４＞
広角端から望遠端へのズーミングの際に、前記第３レンズ群が光軸方向において物体側へ一方向にのみ移動される
前記＜１＞から前記＜３＞の何れかに記載のズームレンズ。
【０３１５】
＜５＞
以下の条件式（４）を満足する
前記＜１＞から前記＜４＞の何れかに記載のズームレンズ。
（４）７．０＜ｆｇ３／ｆｗ＜１１．０
但し、
ｆｗ：広角端及び無限遠合焦時における光学系の全系焦点距離
とする。
【０３１６】
＜６＞
以下の条件式（５）を満足する
前記＜１＞から前記＜５＞の何れかに記載のズームレンズ。
（５）０．１０＜｛βｇ３（ｔ）／βｇ３（ｗ）｝／｛ｆｔ／ｆｗ｝＜０．２２
但し、
βｇ３（ｗ）：広角端及び無限遠合焦時における第３レンズ群の横倍率
βｇ３（ｔ）：望遠端及び無限遠合焦時における第３レンズ群の横倍率
ｆｗ：広角端及び無限遠合焦時における光学系の全系焦点距離
ｆｔ：望遠端及び無限遠合焦時における光学系の全系焦点距離
とする。
【０３１７】
＜７＞
以下の条件式（６）を満足する
前記＜１＞から前記＜６＞の何れかに記載のズームレンズ。
（６）０．６５＜ｆｓｌ３／ｆｇ３＜１．０５
但し、
ｆｓｌ３：第３レンズ群の接合レンズの焦点距離
とする。
【０３１８】
＜８＞
以下の条件式（７）を満足する
前記＜１＞から前記＜７＞の何れかに記載のズームレンズ。
（７）−０．９０＜Ｒｓｌ３／ｆｇ３＜−０．５０
但し、
Ｒｓｌ３：第３レンズ群の接合レンズにおける接合面の曲率半径
とする。
【０３１９】
＜９＞
前記第２レンズ群は、負レンズと、負レンズと、物体側に位置された正レンズと像側に位置された負レンズとから成る正の屈折力を有する接合レンズとが、物体側から像側へ順に配置されて構成された
前記＜１＞から前記＜８＞の何れかに記載のズームレンズ。
【０３２０】
＜１０＞
以下の条件式（８）を満足する
前記＜１＞から前記＜９＞の何れかに記載のズームレンズ。
（８）−３．５＜ｆｇ２／ｆｗ＜−２．０
但し、
ｆｇ２：第２レンズ群の焦点距離
ｆｗ：広角端及び無限遠合焦時における光学系の全系焦点距離
とする。
【０３２１】
＜１１＞
以下の条件式（９）を満足する
前記＜１＞から前記＜１０＞の何れかに記載のズームレンズ。
（９）−４．５＜ｆｓｌ２／ｆｇ２＜−２．７
但し、
ｆｓｌ２：第２レンズ群の接合レンズの焦点距離
ｆｇ２：第２レンズ群の焦点距離
とする。
【０３２２】
＜１２＞
以下の条件式（１０）を満足する
前記＜１＞から前記＜１１＞の何れかに記載のズームレンズ。
（１０）１．５＜Ｒｓｌ２／ｆｇ２＜２．７
但し、
Ｒｓｌ２：第２レンズ群の接合レンズにおける接合面の曲率半径
ｆｇ２：第２レンズ群の焦点距離
とする。
【０３２３】
＜１３＞
前記第１レンズ群は、物体側に位置された負レンズと像側に位置された正レンズとから成る負の屈折力を有する接合レンズと、正レンズと、正レンズとが、物体側から像側へ順に配置されて構成された
前記＜１＞から前記＜１２＞の何れかに記載のズームレンズ。
【０３２４】
＜１４＞
以下の条件式（１１）を満足する
前記＜１＞から前記＜１３＞の何れかに記載のズームレンズ。
（１１）１５＜ｆｇ１／ｆｗ＜２３
但し、
ｆｇ１：第１レンズ群の焦点距離
ｆｗ：広角端及び無限遠合焦時における光学系の全系焦点距離
とする。
【０３２５】
＜１５＞
以下の条件式（１２）を満足する
前記＜１＞から前記＜１４＞の何れかに記載のズームレンズ。
（１２）−１０．５＜ｆｓｌ１／ｆｇ１＜−５．０
但し、
ｆｓｌ１：第１レンズ群の接合レンズの焦点距離
ｆｇ１：第１レンズ群の焦点距離
とする。
【０３２６】
＜１６＞
広角端から望遠端へのズーミングの際に前記第４レンズ群が光軸方向において移動され、
フォーカシングの際に前記第４レンズ群が光軸方向において移動されることにより合焦される
前記＜１＞から前記＜１５＞の何れかに記載のズームレンズ。
【０３２７】
＜１７＞
前記第３レンズ群は接合レンズが光軸方向に直交する方向へシフトされることにより像ぶれを補正する機能を有する
前記＜１＞から前記＜１６＞の何れかに記載のズームレンズ。
【０３２８】
＜１８＞
前記第２レンズ群と前記第３レンズ群の間にＦナンバーを決定する開口絞りが配置され、
ズーミングの際に前記開口絞りが撮像面に対して固定されている
前記＜１＞から前記＜１７＞の何れかに記載のズームレンズ。
【０３２９】
＜１９＞
ズームレンズと前記ズームレンズによって形成された光学像を電気的信号に変換する撮像素子とを備え、
前記ズームレンズは、
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（１）を満足する
撮像装置。
（１）−０．９５＜ｆｇ３＿ｎｅｇ／ｆｇ３＜−０．５
但し、
ｆｇ３＿ｎｅｇ：第３レンズ群の物体側から２枚目の負レンズの焦点距離
ｆｇ３：第３レンズ群の焦点距離
とする。
【０３３０】
＜２０＞
ズームレンズと前記ズームレンズによって形成された光学像を電気的信号に変換する撮像素子とを備え、
前記ズームレンズは、
物体側から像側へ順に配置された正の屈折力を有する第１レンズ群と負の屈折力を有する第２レンズ群と正の屈折力を有する第３レンズ群と正の屈折力を有する第４レンズ群とにより構成され、
広角端から望遠端へのズーミングの際に、前記第１レンズ群が撮像面に対して固定され、前記第２レンズ群が前記第３レンズ群との間隔を縮めるように光軸方向において像側へ移動され、
前記第３レンズ群は、正レンズと、負レンズと、物体側に位置された正レンズと像側に位置された負レンズとから成る正の屈折力を有する接合レンズとが、物体側から像側へ順に配置されて構成され、
以下の条件式（２）及び条件式（３）を満足する
撮像装置。
（２）１．８５＜Ｎｄｇ３＿ｎｅｇ＜１．９５
（３）２０．０＜νｄｇ３＿ｎｅｇ＜３０．０
但し、
Ｎｄｇ３＿ｎｅｇ：第３レンズ群の物体側から２枚目の負レンズのガラスにおけるｄ線の屈折率
νｄｇ３＿ｎｅｇ：第３レンズ群の物体側から２枚目の負レンズのガラスにおけるｄ線のアッベ数
とする。
【０３３１】
＜２１＞
前記ズームレンズと前記撮像素子の間に光学像を色分解するプリズムブロックが配置された
前記＜１９＞又は前記＜２０＞に記載のズームレンズ。
【符号の説明】
【０３３２】
１…ズームレンズ、２…ズームレンズ、３…ズームレンズ、４…ズームレンズ、５…ズームレンズ、Ｇ１…第１レンズ群、Ｇ２…第２レンズ群、Ｇ３…第３レンズ群、Ｇ４…第４レンズ群、１００…撮像装置、１１…ズームレンズ、１２…撮像素子
【図１】
2015090424.tif 000020
【図２】
2015090424.tif 000021
【図３】
2015090424.tif 000022
【図４】
2015090424.tif 000023
【図５】
2015090424.tif 000024
【図６】
2015090424.tif 000025
【図７】
2015090424.tif 000026
【図８】
2015090424.tif 000027
【図９】
2015090424.tif 000028
【図１０】
2015090424.tif 000029
【図１１】
2015090424.tif 000030
【図１２】
2015090424.tif 000031
【図１３】
2015090424.tif 000032
【図１４】
2015090424.tif 000033
【図１５】
2015090424.tif 000034
【図１６】
2015090424.tif 000035